(57)【要約】  本開示は、サービス処理方法、情報送信方法及び関連機器を提供し、該サービス処理方法は、サービス処理の関連情報を取得することと、取得された前記サービス処理の関連情報に少なくとも基づいて、ターゲットサービスの関連処理を行うこととを含む。
2021519006.tif 000002
【特許請求の範囲】
【請求項１】
第１のネットワークにおける第１のネットワークユニットに適用されるサービス処理方法であって、
端末が端末のＩＰ（Ｉｎｔｅｒｎｅｔ  Ｐｒｏｔｏｃｏｌ）アドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得することと、
取得された前記サービス処理の関連情報に少なくとも基づいて、サービスサポート指示の関連処理であるターゲットサービスの関連処理を行うこととを含む、サービス処理方法。
【請求項２】
端末に適用されるサービス処理方法であって、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得することと、
取得された前記サービス処理の関連情報に少なくとも基づいて、アクセスドメイン選択の関連処理であるターゲットサービスの関連処理を行うこととを含む、サービス処理方法。
【請求項３】
第１のネットワークにおけるネットワークユニットに適用されるサービス処理方法であって、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得することと、
取得された前記サービス処理の関連情報に少なくとも基づいて、リダイレクトの関連処理であるターゲットサービスの関連処理を行うこととを含む、サービス処理方法。
【請求項４】
取得された前記サービス処理の関連情報に少なくとも基づいて、ターゲットサービスの関連処理を行うことは、具体的には、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うことであるか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行うことである、請求項１、２又は３に記載のサービス処理方法。
【請求項５】
前記の端末がハンドオーバ指示をサポートするか否かの関連情報は、前記端末がハンドオーバ指示をサポートすることを含み、
前記端末が、ハンドオーバアタッチ開始、ハンドオーバ指示の位置更新開始、及びＰＤＵ（Ｐｒｏｔｏｃｏｌ  Ｄａｔａ  Ｕｎｉｔ）接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳ（Ｅｖｏｌｖｅｄ  Ｐａｃｋｅｔ  Ｓｙｓｔｅｍ）ネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする、請求項１、２又は３に記載のサービス処理方法。
【請求項６】
前記ハンドオーバは、端末が第１のネットワークから第２のネットワークに移動するときに、端末のＩＰアドレス連続性の保持要求を指示することである、請求項１〜５のいずれか１項に記載のサービス処理方法。
【請求項７】
前記の第１のネットワーク及び／又は第２のネットワークが端末のハンドオーバ指示に基づく端末のＩＰ連続性の保持をサポートするか否かは、第１のネットワーク及び／又は第２のネットワークがハンドオーバアタッチをサポートするか否かを含む、請求項１、２又は３に記載のサービス処理方法。
【請求項８】
ターゲットサービスは、ＩＭＳ（ＩＰ  Ｍｕｌｔｉｍｅｄｉａ  Ｓｕｂｓｙｓｔｅｍ）音声サービスを含み、
前記サービスサポート指示は、ＰＳ（Ｐａｃｋｅｔ  Ｓｗｉｔｃｈ）ドメインによりセッションを行う方式によるＩＭＳ音声サービスサポート指示、及び３ＧＰＰによりＰＳドメインにアクセスしてセッションを行う方式によるＩＭＳ音声サービスサポート指示のうちの１つである、請求項１に記載のサービス処理方法。
【請求項９】
前記ターゲットサービスの関連処理を行うことは、第１の動作又は第２の動作を実行することであり、前記第１の動作は、前記ターゲットサービスを指示するサービスサポート指示情報を特定するか、又はターゲットサービスのサービスが指示情報によるターゲットサービスサポートの指示をサポートするか否かを特定することであり、前記第２の動作は、前記ターゲットサービスを指示しないサービスサポート情報を特定するか、又はターゲットサービスのサービスが指示情報によるターゲットサービスのサポート不可の指示をサポートするか否かを特定することである、請求項１に記載のサービス処理方法。
【請求項１０】
前記ターゲットサービスの関連処理を行うことは、第１の動作又は第２の動作を実行することであり、前記第１の動作は、第１のネットワークに在圏することを選択することであり、前記第２の動作は、第１のネットワークに在圏することの選択を阻止するか、又は第２のネットワークに在圏することを選択することである、請求項２に記載のサービス処理方法。
【請求項１１】
前記ターゲットサービスの関連処理を行うことは、第１の動作又は第２の動作を実行することであり、前記第１の動作は、端末を第２のネットワークにリダイレクトしてターゲットサービスを継続することであり、前記第２の動作は、端末を第１のネットワークに保持してターゲットサービスを継続することである、請求項３に記載のサービス処理方法。
【請求項１２】
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する、請求項９、１０又は１１に記載のサービス処理方法。
【請求項１３】
第１のネットワーク及び／又は第２のネットワークがＮ２６インタフェースを備えないインターワーキングフローをサポートすると共に、端末が、
端末がＩＰアドレス連続性の保持要求をサポートするという条件、端末がハンドオーバ指示をサポートするという条件、端末がシングル登録モードをサポートすると共に、端末がハンドオーバ指示をサポートするという条件、端末が二重登録モードをサポートするという条件、及び端末タイプがデータ中心であるという条件のうちの少なくとも１つを満たすと、第１の動作を実行すると特定する、請求項９、１０又は１１に記載のサービス処理方法。
【請求項１４】
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバ指示をサポートしないという条件、
第１のネットワーク及び／又は第２のネットワークがＮ２６インタフェースを備えないインターワーキングフローをサポートし、端末タイプが音声中心であるが、端末がハンドオーバ指示をサポートしないという条件、
第１のネットワーク及び／又は第２のネットワークがＮ２６インタフェースを備えないインターワーキングフローをサポートし、端末がシングル登録モードをサポートするが、端末がハンドオーバ指示をサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバ指示をサポートしないという条件のうちの少なくとも１つを満たすと、前記第２の動作を実行すると特定する、請求項９、１０又は１１に記載のサービス処理方法。
【請求項１５】
ターゲットサービスの関連処理を行うために、サービス処理の関連情報を送信するか又は放送することを含み、
前記サービス処理の関連情報は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む、情報送信方法。
【請求項１６】
前記の端末がハンドオーバ指示をサポートするか否かの関連情報は、前記端末がハンドオーバ指示をサポートすることを含み
前記端末が、ハンドオーバアタッチ開始、ハンドオーバ指示の位置更新開始、及びＰＤＵ接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする、請求項１５に記載の情報送信方法。
【請求項１７】
前記ハンドオーバは、前記端末が第１のネットワークから第２のネットワークに移動するときに、端末のＩＰアドレス連続性の保持要求を指示することである、請求項１５又は１６に記載の情報送信方法。
【請求項１８】
前記の第１のネットワーク及び／又は第２のネットワークが端末のハンドオーバ指示に基づく端末のＩＰ連続性の保持をサポートするか否かは、第１のネットワーク及び／又は第２のネットワークがハンドオーバアタッチをサポートするか否かを含む、請求項１５に記載の情報送信方法。
【請求項１９】
ターゲットサービスは、ＩＭＳ音声サービスを含み、
前記サービスサポート指示は、ＰＳドメインによりセッションを行う方式によるＩＭＳ音声サービスサポート指示、及び３ＧＰＰによりＰＳドメインにアクセスしてセッションを行う方式によるＩＭＳ音声サービスサポート指示のうちの１つである、請求項１５に記載の情報送信方法。
【請求項２０】
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための取得モジュールと、
取得された前記サービス処理の関連情報に少なくとも基づいて、サービスサポート指示の関連処理であるターゲットサービスの関連処理を行うための処理モジュールと、を含む、通信機器。
【請求項２１】
前記の端末がハンドオーバ指示をサポートするか否かの関連情報は、前記端末がハンドオーバ指示をサポートすることを含み
前記端末が、ハンドオーバアタッチ開始、ハンドオーバ指示の位置更新開始、及びＰＤＵ接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする、請求項２０に記載の通信機器。
【請求項２２】
前記ハンドオーバは、前記端末が第１のネットワークから第２のネットワークに移動するときに、端末のＩＰアドレス連続性の保持要求を指示することである、請求項２０又は２１に記載の通信機器。
【請求項２３】
前記の第１のネットワーク及び／又は第２のネットワークが端末のハンドオーバ指示に基づく端末のＩＰ連続性の保持をサポートするか否かは、第１のネットワーク及び／又は第２のネットワークがハンドオーバアタッチをサポートするか否かを含む、請求項２０に記載の通信機器。
【請求項２４】
ターゲットサービスは、ＩＭＳ音声サービスを含み、
前記サービスサポート指示は、ＰＳドメインによりセッションを行う方式によるＩＭＳ音声サービスサポート指示、及び３ＧＰＰによりＰＳドメインにアクセスしてセッションを行う方式によるＩＭＳ音声サービスサポート指示のうちの１つである、請求項２０に記載の通信機器。
【請求項２５】
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための取得モジュールと、
取得された前記サービス処理の関連情報に少なくとも基づいて、アクセスドメイン選択の関連処理であるターゲットサービスの関連処理を行うための処理モジュールと、を含む、通信機器。
【請求項２６】
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための取得モジュールと、
取得された前記サービス処理の関連情報に少なくとも基づいて、リダイレクトの関連処理であるターゲットサービスの関連処理を行うための処理モジュールと、を含む、通信機器。
【請求項２７】
前記処理モジュールは、具体的には、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行う、請求項２０、２５又は２６に記載の通信機器。
【請求項２８】
前記処理モジュールは、具体的には、第１の動作又は第２の動作を実行し、前記第１の動作は、前記ターゲットサービスを指示するサービスサポート指示情報を特定するか、又はターゲットサービスのサービスが指示情報によるターゲットサービスサポートの指示をサポートするか否かを特定することであり、前記第２の動作は、前記ターゲットサービスを指示しないサービスサポート情報を特定するか、又はターゲットサービスのサービスが指示情報によるターゲットサービスのサポート不可の指示をサポートするか否かを特定することである、請求項２０に記載の通信機器。
【請求項２９】
前記処理モジュールは、具体的には、第１の動作又は第２の動作を実行し、前記第１の動作は、第１のネットワークに在圏することを選択することであり、前記第２の動作は、第１のネットワークに在圏することの選択を阻止するか、又は第２のネットワークに在圏することを選択することである、請求項２５に記載の通信機器。
【請求項３０】
前記処理モジュールは、具体的には、第１の動作又は第２の動作を実行し、前記第１の動作は、端末を第２のネットワークにリダイレクトしてターゲットサービスを継続することであり、前記第２の動作は、端末を第１のネットワークに保持してターゲットサービスを継続することである、請求項２６に記載の通信機器。
【請求項３１】
前記処理モジュールは、具体的には、
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する、請求項２８、２９又は３０に記載の通信機器。
【請求項３２】
前記処理モジュールは、具体的には、
第１のネットワーク及び／又は第２のネットワークがＮ２６インタフェースを備えないインターワーキングフローをサポートすると共に、端末が、
端末がＩＰアドレス連続性の保持要求をサポートするという条件、端末がハンドオーバアタッチをサポートするという条件、端末がシングル登録モードをサポートすると共に、端末がハンドオーバアタッチをサポートするという条件、端末が二重登録モードをサポートするという条件、及び端末タイプがデータ中心であるという条件のうちの少なくとも１つを端末が満たすと、第１の動作を実行すると特定する、請求項２８、２９又は３０に記載の通信機器。
【請求項３３】
前記処理モジュールは、具体的には、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバアタッチをサポートしないという条件、
第１のネットワーク及び／又は第２のネットワークがＮ２６インタフェースを備えないインターワーキングフローをサポートし、端末タイプが音声中心であるが、端末がハンドオーバアタッチをサポートしないという条件、
第１のネットワーク及び／又は第２のネットワークがＮ２６インタフェースを備えないインターワーキングフローをサポートし、端末がシングル登録モードをサポートするが、端末がハンドオーバアタッチをサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバアタッチをサポートしないという条件のうちの少なくとも１つを満たすと、前記第２の動作を実行すると特定する、請求項２８、２９又は３０に記載の通信機器。
【請求項３４】
サービス処理の関連情報を送信するか又は放送する送信モジュールを含み、
前記サービス処理の関連情報は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む、通信機器。
【請求項３５】
前記の端末がハンドオーバ指示をサポートするか否かの関連情報は、前記端末がハンドオーバ指示をサポートすることを含み
前記端末が、ハンドオーバアタッチ開始、ハンドオーバ指示の位置更新開始、及びＰＤＵ接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする、請求項３４に記載の通信機器。
【請求項３６】
前記ハンドオーバは、前記端末が第１のネットワークから第２のネットワークに移動するときに、端末のＩＰアドレス連続性の保持要求を指示することである、請求項３４又は３５に記載の通信機器。
【請求項３７】
前記の第１のネットワーク及び／又は第２のネットワークが端末のハンドオーバ指示に基づく端末のＩＰ連続性の保持をサポートするか否かは、第１のネットワーク及び／又は第２のネットワークがハンドオーバアタッチをサポートするか否かを含む、請求項３４に記載の通信機器。
【請求項３８】
ターゲットサービスは、ＩＭＳ音声サービスを含み、
前記サービスサポート指示は、ＰＳドメインによりセッションを行う方式によるＩＭＳ音声サービスサポート指示、及び３ＧＰＰによりＰＳドメインにアクセスしてセッションを行う方式によるＩＭＳ音声サービスサポート指示のうちの１つである、請求項３４に記載の通信機器。
【請求項３９】
プロセッサと、メモリと、前記メモリに記憶されて前記プロセッサ上で実行可能で、前記プロセッサによって実行されると、請求項１〜１４のいずれか１項に記載のサービス処理方法を実現するコンピュータプログラムとを含む、通信機器。
【請求項４０】
プロセッサと、メモリと、前記メモリに記憶されて前記プロセッサ上で実行可能で、前記プロセッサによって実行されると、請求項１５〜１９のいずれか１項に記載の情報送信方法を実現するコンピュータプログラムとを含む、通信機器。
【請求項４１】
プロセッサによって実行されると、請求項１〜１４のいずれか１項に記載のサービス処理方法又は請求項１５〜１９のいずれか１項に記載の情報送信方法を実現するコンピュータプログラムが記憶されている、コンピュータ読み取り可能な記憶媒体。
【発明の詳細な説明】
【技術分野】
【０００１】
本願は、２０１８年２月１３日に提出された中国特許出願第２０１８１０１５１０３０．０号の優先権を主張するものであり、その全ての内容は参照により本願に組み込まれるものとする。
本開示は、移動通信の技術分野に関し、特にネットワーク間のインターワーキングに関するサービス処理方法、情報送信方法及び関連機器に関する。
【背景技術】
【０００２】
５ＧネットワークがＩＭＳ（ＩＰ  Ｍｕｌｔｉｍｅｄｉａ  Ｓｕｂｓｙｓｔｅｍ）音声サービス／緊急サービスを直接サポートしないか、又は５Ｇネットワーク内にそれを直接提供しないが、ＥＰＳ（Ｅｖｏｌｖｅｄ  Ｐａｃｋｅｔ  Ｓｙｓｔｅｍ）がＩＭＳ音声サービス／緊急サービスをサポートすると、５Ｇネットワークは、依然としてＵＥ（Ｕｓｅｒ  Ｅｑｕｉｐｍｅｎｔ）に音声サービスサポートの指示を送信することができる。
【０００３】
音声サービスサポート指示／緊急サービスを受信したＵＥは、５Ｇネットワークにおいて音声サービス／緊急サービスの関連セッション確立を開始することができる。５Ｇネットワークが音声サービスＱｏＳフロー確立を受信するときに、ＵＥをＥＰＳネットワークにフォールバックさせて音声サービスをサポートすることができる。このようなフォールバック処理は、コールドロップを引き起こす可能性がある。例えば、５ＧネットワークとＥＰＳネットワークの間にＮ２６インタフェース（ＡＭＦ（Ａｃｃｅｓｓ  Ｍａｎａｇｅｍｅｎｔ  Ｆｕｎｃｔｉｏｎ）とＭＭＥ（Ｍｏｂｉｌｉｔｙ  Ｍａｎａｇｅｍｅｎｔ  Ｅｎｔｉｔｙ）の間のインタフェース）がないと、５Ｇネットワークは、リダイレクト方式でＵＥをフォールバックさせ、端末は、ハンドオーバ指示をサポートしないときに、端末のＩＰアドレスの連続性を保証できないため、端末のサービスを行うことができなくなる。
【発明の概要】
【発明が解決しようとする課題】
【０００４】
本開示は、端末が音声サービス及び／又は緊急サービスを開始するか又は受信することを保証するサービス処理方法、情報送信方法及び関連機器を提供することを目的とする。
【課題を解決するための手段】
【０００５】
第１の態様において、本開示の実施例は、第１のネットワークにおけるネットワークユニットに適用されるサービス処理方法であって、
端末が端末のＩＰ（Ｉｎｔｅｒｎｅｔ  Ｐｒｏｔｏｃｏｌ）アドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得することと、
取得された前記サービス処理の関連情報に少なくとも基づいて、サービスサポート指示の関連処理であるターゲットサービスの関連処理を行うこととを含む、サービス処理方法を提供する。
【０００６】
第２の態様において、本開示の実施例は、端末に適用されるサービス処理方法であって、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得することと、
取得された前記サービス処理の関連情報に少なくとも基づいて、アクセスドメイン選択の関連処理であるターゲットサービスの関連処理を行うこととを含む、サービス処理方法をさらに提供する。
【０００７】
第３の態様において、本開示の実施例は、第１のネットワークにおけるネットワークユニットに適用されるサービス処理方法であって、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得することと、
取得された前記サービス処理の関連情報に少なくとも基づいて、リダイレクトの関連処理であるターゲットサービスの関連処理を行うこととを含む、サービス処理方法をさらに提供する。
【０００８】
第４の態様において、本開示の実施例は、
ターゲットサービスのサービスサポート指示の関連処理、又はアクセスドメイン選択の関連処理又はターゲットサービスのリダイレクトの関連処理を行うために、サービス処理の関連情報を送信することを含み、
前記サービス処理の関連情報が、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む、情報送信方法をさらに提供する。
【０００９】
第５の態様において、本開示の実施例は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための取得モジュールと、
取得された前記サービス処理の関連情報に少なくとも基づいて、サービスサポート指示の関連処理であるターゲットサービスの関連処理を行うための処理モジュールと、を含む、通信機器をさらに提供する。
【００１０】
第６の態様において、本開示の実施例は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための取得モジュールと、
取得された前記サービス処理の関連情報に少なくとも基づいて、アクセスドメイン選択の関連処理であるターゲットサービスの関連処理を行うための処理モジュールと、を含む、通信機器をさらに提供する。
【００１１】
第７の態様において、本開示の実施例は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための取得モジュールと、
取得された前記サービス処理の関連情報に少なくとも基づいて、リダイレクトの関連処理であるターゲットサービスの関連処理を行うための処理モジュールと、を含む、通信機器をさらに提供する。
【００１２】
第８の態様において、本開示の実施例は、
ターゲットサービスのサービスサポート指示の関連処理、又はアクセスドメイン選択の関連処理又はターゲットサービスのリダイレクトの関連処理を行うために、サービス処理の関連情報を送信するか又は放送する送信モジュールを含み、
前記サービス処理の関連情報が、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む、通信機器をさらに提供する。
【００１３】
第９の態様において、本開示の実施例は、プロセッサと、メモリと、前記メモリに記憶されて前記プロセッサ上で実行可能で、前記プロセッサによって実行されると、上記サービス処理方法を実現するコンピュータプログラムとを含む、通信機器をさらに提供する。
【００１４】
第１０の態様において、本開示の実施例は、プロセッサと、メモリと、前記メモリに記憶されて前記プロセッサ上で実行可能で、前記プロセッサによって実行されると、上記情報送信方法を実現するコンピュータプログラムとを含む、通信機器をさらに提供する。
【００１５】
第１１の態様において、本開示の実施例は、プロセッサによって実行されると、上記サービス処理方法又は上記情報送信方法を実現するコンピュータプログラムが記憶されているコンピュータ読み取り可能な記憶媒体をさらに提供する。
【発明の効果】
【００１６】
本開示の実施例では、サービス処理の関連情報を取得すると共に、取得された前記サービス処理の関連情報に少なくとも基づいてターゲットサービスの関連処理を行うことにより、端末が音声サービス及び／又は緊急サービスを開始するか又は受信することを保証することができる。
【図面の簡単な説明】
【００１７】
【図１】本開示の実施例のアプリケーション環境の概略構成図である。
【図２】本開示の実施例に係るサービス処理方法のフローチャートである。
【図３】本開示の実施例に係る別のサービス処理方法のフローチャートである。
【図４】本開示の実施例に係る別のサービス処理方法のフローチャートである。
【図５】本開示の実施例に係る情報送信方法のフローチャートである。
【図６】本開示の実施例に係る別のサービス処理方法の概略図である。
【図７】本開示の実施例に係る別のサービス処理方法の概略図である。
【図８】本開示の実施例に係る別のサービス処理方法の概略図である。
【図９】本開示の実施例に係る通信機器の構成図である。
【図１０】本開示の実施例に係る別の通信機器の構成図である。
【図１１】本開示の実施例に係る別の通信機器の構成図である。
【図１２】本開示の実施例に係る別の通信機器の構成図である。
【図１３】本開示の実施例に係る別の通信機器の構成図である。
【図１４】本開示の各実施例を実現する通信機器のハードウェア概略構成図である。
【図１５】本開示の実施例に係る別の通信機器の構成図である。
【図１６】本開示の実施例に係る別の通信機器の構成図である。
【発明を実施するための形態】
【００１８】
以下、本開示の実施例の図面を参照しながら、本開示の実施例の技術手段を明確且つ完全的に記載する。明らかに、記載される実施例は、本開示の実施例の一部であり、全てではない。本開示の実施例に基づいて、当業者が創造的な労働をしない前提で得られた他の全ての実施例は、いずれも本開示の保護範囲に属するものである。
【００１９】
図１を参照すると、図１は、本開示の実施例のアプリケーション環境の概略構成図である。図１に示すように、端末１１、第１のネットワーク１２及び第２のネットワーク１３を含む。
【００２０】
端末１１は、ＵＥ（Ｕｓｅｒ  Ｅｑｕｉｐｍｅｎｔ）であってよく、例えば、携帯電話、タブレット（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、ＰＤＡ（ｐｅｒｓｏｎａｌ  ｄｉｇｉｔａｌ  ａｓｓｉｓｔａｎｔ）、ＭＩＤ（Ｍｏｂｉｌｅ  Ｉｎｔｅｒｎｅｔ  Ｄｅｖｉｃｅ）又はウェアラブルデバイス（Ｗｅａｒａｂｌｅ  Ｄｅｖｉｃｅ）等の端末側機器であってよい。なお、本開示の実施例では、端末１１の具体的なタイプを限定しない。
【００２１】
第１のネットワーク１２又は第２のネットワーク１３におけるネットワークユニットは、任意のネットワーク側機器又はネットワーク機能であってよい。例えば、ネットワークユニットは、無線アクセスネットワークのネットワークユニット又はコアネットワークのネットワークユニットであってよく、また、第１のネットワーク１２におけるネットワークユニットは、端末１１と相互作用してもよく、他のネットワークユニットと相互作用してもよい。第２のネットワーク１３は、第１のネットワーク１２と異なる他のネットワークであってよい。
【００２２】
本開示の実施例では、コアネットワークのネットワークユニットは、コアネットワーク機器、コアネットワークノード、コアネットワーク機能、コアネットワークのネットワークユニット、ＭＭＥ（Ｍｏｂｉｌｉｔｙ  Ｍａｎａｇｅｍｅｎｔ  Ｅｎｔｉｔｙ）、ＡＭＦ（Ａｃｃｅｓｓ  Ｍａｎａｇｅｍｅｎｔ  Ｆｕｎｃｔｉｏｎ）、ＳＭＦ（Ｓｅｓｓｉｏｎ  Ｍａｎａｇｅｍｅｎｔ  Ｆｕｎｃｔｉｏｎ）、ＵＰＦ（Ｕｓｅｒ  Ｐｌａｎｅ  Ｆｕｎｃｔｉｏｎ）、ＳＧＷ（ｓｅｒｖｉｎｇ  ＧＷ）、ＰＤＮゲートウェイ（ＰＤＮ  Ｇａｔｅ  Ｗａｙ）、ＰＣＦ（Ｐｏｌｉｃｙ  Ｃｏｎｔｒｏｌ  Ｆｕｎｃｔｉｏｎ）、ＰＣＲＦ（Ｐｏｌｉｃｙ  ａｎｄ  Ｃｈａｒｇｉｎｇ  Ｒｕｌｅｓｓ  Ｆｕｎｃｔｉｏｎ）、ＳＧＳＮ（Ｓｅｒｖｉｎｇ  ＧＰＲＳ  Ｓｕｐｐｏｒｔ  Ｎｏｄｅ）、ＧＧＳＮ（Ｇａｔｅｗａｙ  ＧＰＲＳ  Ｓｕｐｐｏｒｔ  Ｎｏｄｅ）無線アクセスネットワーク機器のうちの少なくとも１つを含んでよい。
【００２３】
本開示の実施例では、無線アクセスネットワークのネットワークユニットは、無線アクセスネットワーク機器、無線アクセスネットワークノード、無線アクセスネットワーク機能、無線アクセスネットワークユニット、３ＧＰＰ無線アクセスネットワーク、非３ＧＰＰ無線アクセスネットワーク、ＣＵ（Ｃｅｎｔｒａｌｉｚｅｄ  Ｕｎｉｔ）、ＤＵ（Ｄｉｓｔｒｉｂｕｔｅｄ  Ｕｎｉｔ）、基地局、ｅＮＢ（ｅｖｏｌｖｅｄ  Ｎｏｄｅ  Ｂ）、５Ｇ基地局（ｇＮＢ）、ＲＮＣ（Ｒａｄｉｏ  Ｎｅｔｗｏｒｋ  Ｃｏｎｔｒｏｌｌｅｒ）、基地局（ＮｏｄｅＢ）、Ｎ３ＩＷＦ（Ｎｏｎ−３ＧＰＰ  Ｉｎｔｅｒ−Ｗｏｒｋｉｎｇ  Ｆｕｎｃｔｉｏｎ）、ＡＣ（Ａｃｃｅｓｓ  Ｃｏｎｔｒｏｌｌｅｒ）ノード、ＡＰ（Ａｃｃｅｓｓ  Ｐｏｉｎｔ）機器又はＷＬＡＮ（Ｗｉｒｅｌｅｓｓ  Ｌｏｃａｌ  Ａｒｅａ  Ｎｅｔｗｏｒｋｓ）ノードのうちの少なくとも１つを含んでよい。
【００２４】
基地局は、ＧＳＭ又はＣＤＭＡにおけるＢＴＳ（Ｂａｓｅ  Ｔｒａｎｓｃｅｉｖｅｒ  Ｓｔａｔｉｏｎ）であってもよく、ＷＣＤＭＡ(登録商標)におけるＮｏｄｅＢであってもよく、ＬＴＥにおける進化型基地局（ｅＮＢ又はｅ−ＮｏｄｅＢ、ｅｖｏｌｕｔｉｏｎａｌ  ＮｏｄｅＢ）及び５Ｇ基地局（ｇＮＢ）であってもよく、本開示の実施例では限定されない。
【００２５】
ＥＰＣとのインターワーキングをサポートする５Ｇネットワークに対して、Ｎ２６インタフェースを採用するインターワーキングプロセス又はＮ２６インタフェースを採用しないインターワーキングプロセスをサポートすることにより、端末にＩＰアドレスの連続性を提供することができる。いくつかの実施形態において、ＩＰアドレス連続性はＩＰアドレス保持と呼ばれる。
【００２６】
ネットワークがＮ２６インタフェースを採用しないインターワーキングプロセスをサポートすると、ＩＰ連続性をサポートするために、端末がターゲットネットワークにアクセスすると、端末はＰＤＵ（Ｐｒｏｔｏｃｏｌ  Ｄａｔａ  Ｕｎｉｔ）接続確立要求中に要求タイプがハンドオーバであることを指示する必要がある。現在、端末は、選択的に、アタッチ要求又はＰＤＵ接続確立要求中に要求タイプがハンドオーバである指示をサポートする。ここでのＰＤＵ接続確立要求は、ＰＤＵ接続確立要求メッセージ又はアタッチ要求メッセージ中のＰＤＵ接続確立要求であってよい。
【００２７】
本開示の実施例では、ｅＬＴＥはＥＵＴＲＡが５ＧＣに直接接続される方式である。ＥＰＳはＬＴＥと呼ばれてよい。
【００２８】
本開示の実施例では、緊急サービスは、緊急音声サービス、緊急ＩＭＳ音声サービスのうちの１つと呼ばれてよい。緊急サービスサポート指示情報は、緊急サービスサポート指示（例えば、Ｅｍｅｒｇｅｎｃｙ  Ｓｅｒｖｉｃｅｓ  Ｓｕｐｐｏｒｔ  ｉｎｄｉｃａｔｏｒ）、フォールバック方式を採用する緊急サービスサポート指示（Ｅｍｅｒｇｅｎｃｙ  Ｓｅｒｖｉｃｅｓ  Ｓｕｐｐｏｒｔ  ｕｓｉｎｇ  ｆａｌｌｂａｃｋ）のうちの１つであってよい。
【００２９】
本開示の実施例では、音声サービスは、ＰＳドメインによりセッションを行う方式によるＩＭＳ音声サービスと呼ばれてよい。音声サービスサポート指示は、ＰＳドメインによりセッションを行う方式によるＩＭＳ音声サービスサポート指示（ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ）、及び３ＧＰＰによりＰＳドメインにアクセスしてセッションを行う方式によるＩＭＳ音声サービスサポート指示（ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ  ｏｖｅｒ  ３ＧＰＰ）のうちの１つであってよい。
【００３０】
本開示の実施例では、ＥＰＣとのインターワーキングをサポートする５Ｇネットワークに対して、Ｎ２６インタフェースを備えるインターワーキングプロセス又はＮ２６インタフェースを備えないインターワーキングプロセスをサポートすることができる。
【００３１】
本開示の一実施形態において、ネットワークがＮ２６インタフェースを備えるインターワーキングプロセスをサポートすることは、５ＧＣ  ＮＡＳとＥＰＳ  ＮＡＳをサポートする端末が５ＧネットワークとＥＰＳネットワークの間に移動すると、Ｎ２６インタフェースを採用するインターワーキングプロセスは、端末にＩＰの連続性（ＩＰアドレス保持と呼ばれてよい）の提供をサポートすることで示されてよい。
【００３２】
本開示の一実施形態において、ネットワークがＮ２６インタフェースを採用しないインターワーキングプロセスをサポートすることは、特殊なネットワーク設定（例えば、第１のネットワークにおいて、ＰＤＵセッション／ＰＤＵ接続確立後に、ＰＧＷ＋ＳＭＦ（第１のネットワークと第２のネットワークの統合）はその情報の予想ＤＮＮ／ＡＰＮ情報をＨＳＳ＋ＵＤＭ（第１のネットワークと第２のネットワークの統合）に格納し、ＵＥが第２のネットワークにアクセスした後、第２のネットワークはＨＳＳ＋ＵＤＭからＰＧＷ＋ＳＭＦの情報とＤＮＮ／ＡＰＮ情報を取得することができる）により、端末にＩＰ連続性を提供できることで示されてよい。
【００３３】
しかしながら、端末に対して、二重登録モードの端末は、ＰＤＵ接続要求中に要求タイプがハンドオーバである指示をサポートするが、シングル登録モードの端末は、ＰＤＵ接続要求中に要求タイプがハンドオーバである指示をサポートする可能性があり、サポートしない可能性もある。
【００３４】
端末が５ＧネットワークからＥＰＳネットワークに移動すると、ＰＤＵ接続要求中に要求タイプがハンドオーバである指示をサポートしない端末に対して、ネットワークは端末のＩＰ連続性を保証できない可能性がある。
【００３５】
現在、５Ｇネットワークがターゲットサービス（例えば、ＩＭＳ音声サービス、緊急サービス）を直接サポートしないか又は直接提供しないが、ＥＰＳネットワークがＩＭＳ音声サービスをサポートすると、５Ｇネットワークに在圏すると共にＥＰＳ能力を備える端末に対して、５ＧネットワークとＥＰＳネットワークの間のインターワーキングプロセスにより、端末にターゲットサービスを提供することができる。したがって、５ＧネットワークがＵＥに音声サービスサポート指示（例えば、ＩＭＳ  ｖｏｉｃｅ  ｏｖｅｒ  ＰＳ  ｓｅｓｓｉｏｎ  ｓｕｐｐｏｒｔｅｄ  ｏｖｅｒ  ３ＧＰＰ  ａｃｃｅｓｓ）又は緊急サービスサポート指示を送信することができる。
【００３６】
５ＧネットワークとＥＰＳネットワークの間にＮ２６インタフェースをサポートしないと、一般的にリダイレクト方式で、５Ｇネットワークに在圏する端末をＥＰＳに移動することができる（例えば、５Ｇ無線アクセスネットワークがＵＥと５Ｇネットワークの接続を解除してから、ＵＥがＥＰＳと接続を確立する）。
【００３７】
ネットワークがＮ２６インタフェースを採用するインターワーキングプロセスをサポートしないだけでなく、Ｎ２６インタフェースを採用しないインターワーキングプロセスをサポートしなければ、端末のＩＰアドレス連続性を保証できず、ネットワークがＮ２６インタフェースを採用しないインターワーキングプロセスをサポートするが、端末がハンドオーバ指示をサポートしないと、端末のＩＰアドレス連続性も保証できない可能性がある。
以上の説明から分かるように、５Ｇネットワークは、ＥＰＳネットワークとのインターワーキングプロセスにより端末に音声サービス及び／又は緊急サービスを提供する過程において、ＩＰアドレス連続性を保証できるか否かは、非常に多くの要因に関し、本開示の具体的な実施例は、様々な面から解決手段を提供して、ＩＰアドレス連続性を保証する。
【００３８】
本開示の具体的な一実施例では、端末が、ハンドオーバアタッチ開始、ハンドオーバ指示の位置更新開始、及びＰＤＵ接続要求中に要求タイプがハンドオーバである指示のうちの少なくとも１つをサポートすると、端末がハンドオーバ指示をサポートすることを示してよい。ここでのハンドオーバは、端末が第１のネットワークから第２のネットワークに移動するときに、端末のＩＰアドレス連続性の保持要求を指示することを示してよい。
【００３９】
ハンドオーバ指示をサポートするか否かは、ハンドオーバアタッチをサポートするか否か、及び現在のＰＤＵセッションに対する指示をサポートするか否かのうちの１つで示されてよい。現在のＰＤＵセッションに対する指示をサポートするか否かの情報は、現在確立要求されるＰＤＵ接続が現在のものであり、ＩＰ連続性を保持できることを示す。
【００４０】
第１のネットワーク及び／又は第２のネットワークが端末のハンドオーバ指示に基づく端末のＩＰ連続性の保持をサポートするか否かは、第１のネットワーク及び／又は第２のネットワークがハンドオーバアタッチをサポートするか否かで示されてよい。
【００４１】
本開示の別の具体的な実施例では、端末が、
端末が第１のネットワークから第２のネットワークに移動すると、端末のＩＰアドレス連続性の保持要求をサポートする能力、
端末が５ＧネットワークからＥＰＳネットワークに移動すると、アタッチ要求プロセス又は位置更新要求プロセスにおけるＰＤＵ接続確立要求中に要求タイプがハンドオーバである指示をサポートする能力、
端末が５ＧネットワークからＥＰＳネットワークに移動すると、ＰＤＵ接続確立要求中に要求タイプがハンドオーバである指示をサポートする能力、及び
５ＧネットワークがＮ２６インタフェースを備えないインターワーキングフローをサポートする指示を受信すると、ＥＰＳがアタッチを開始するときに、ＰＤＵ接続確立要求の要求タイプがハンドオーバを指示すると共に、端末が５Ｇネットワークから移動することを指示し、その後に、ＵＥはＰＤＵ接続確立プロセスの要求タイプ中のハンドオーバ指示により５Ｇにおいて確立された他のＰＤＵセッションを転送する能力のうちの１つを備えると、端末はハンドオーバ指示をサポートすることを示してよい。
【００４２】
５ＧネットワークがＮ２６インタフェースを備えないインターワーキングフローをサポートする指示を受信すると、ＥＰＳが位置更新要求を開始するときに（例えば、端末がＥＰＳにおいて登録したと共に、位置領域（例えば、ＴＡ）更新を必要とするときに）、位置領域更新要求中にＰＤＵ接続確立要求の要求タイプがハンドオーバを指示することをサポートすると共に、端末が５Ｇネットワークから移動することを指示することにより、５Ｇにおいて確立されたＰＤＵセッションを転送する。
【００４３】
５ＧネットワークがＮ２６インタフェースを備えないインターワーキングフローをサポートする指示を受信すると、ＥＰＳがＰＤＵ接続確立要求を開始するときに（例えば、端末がＥＰＳにおいて登録した）、ＰＤＵ接続確立プロセスの要求タイプ中のハンドオーバ指示をサポートすると共に、ＵＥが５Ｇネットワークから移動することを指示することにより、５Ｇにおいて確立されたＰＤＵセッションを転送する。
【００４４】
従来技術では、５ＧネットワークがＩＭＳ音声サービスを直接サポートしないか又は直接提供しないが、ＥＰＳネットワークによりＩＭＳ音声サービスを間接的に提供すると、５Ｇネットワークは、端末に音声サービスサポートの指示を送信し、端末をＩＭＳネットワークにリダイレクトして音声サービス／緊急サービスをサポートするプロセスにおいてＩＰアドレスの連続性を保証できる（即ち、前後で同じＩＰアドレスを採用する）か否かに注目せず、音声サービス／緊急サービスを確立できるか否かにも注目しない。
【００４５】
５Ｇネットワークが、ネットワーク及び／端末によるＩＰアドレス連続性の保持能力を考慮してターゲットサービスのサポート指示をセットすれば、例えば、端末のＩＰアドレスを保持できないと特定されると、端末にターゲットサービスのサービスサポートの指示を送信しないと、一部の端末、例えば、音声中心の端末（Ｖｏｉｃｅ  Ｃｅｎｔｒｉｃ  ＵＥ）は、５Ｇネットワークにアタッチせず、ターゲットサービスをサポートするＥＰＳネットワークにアタッチし、このときに、端末がターゲットサービス（例えば、音声サービス及び／又は緊急サービス）を開始するか又は受信することを確保することができる。データ中心の端末は、影響を受けず、５Ｇネットワークにアタッチし続けることができる。
【００４６】
したがって、本開示の実施例では、ネットワーク側は、収集された情報に基づいて端末に音声サービスサポートの関連指示を送信するか否か及び／又はどのように指示するかを特定して、端末がターゲットサービスを正常に開始するか又は受信することを保証する。
【００４７】
図２に示すように、本開示の実施例のサービス処理方法は、第１のネットワークにおける第１のネットワークユニットに適用され、
サービス処理の関連情報を取得するステップ２１と、
取得された前記サービス処理の関連情報に少なくとも基づいて、サービスサポート指示の関連処理であるターゲットサービスの関連処理を行うステップ２２とを含む。
【００４８】
前記サービス処理の関連情報は、端末が端末のＩＰ（Ｉｎｔｅｒｎｅｔ  Ｐｒｏｔｏｃｏｌ）アドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む。
【００４９】
本開示の具体的な一実施例では、取得された前記サービス処理の関連情報に少なくとも基づいて、ターゲットサービスの関連処理を行うことは、具体的には、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うことであるか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行うことである。
【００５０】
本開示の具体的な一実施例では、前記ターゲットサービスの関連処理を行うことは、第１の動作又は第２の動作を実行することであり、前記第１の動作は、前記ターゲットサービスを指示するサービスサポート指示情報を特定するか、又はターゲットサービスのサービスが指示情報によるターゲットサービスサポートの指示をサポートするか否かを特定することであり、前記第２の動作は、前記ターゲットサービスを指示しないサービスサポート情報を特定するか、又はターゲットサービスのサービスが指示情報によるターゲットサービスのサポート不可の指示をサポートするか否かを特定することである。
【００５１】
本開示の具体的な一実施例では、
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する。
【００５２】
本開示の具体的な一実施例では、選択的には、第１のネットワーク及び／又は第２のネットワークがＮ２６インタフェースを備えないインターワーキングフローをサポートすると共に、端末が、
端末がＩＰアドレス連続性の保持要求をサポートするという条件、端末がハンドオーバ指示をサポートするという条件、端末がシングル登録モードをサポートすると共に、端末がハンドオーバ指示をサポートするという条件、端末が二重登録モードをサポートするという条件、及び端末タイプがデータ中心であるという条件のうちの少なくとも１つを満たすと、第１の動作を実行すると特定する。
【００５３】
本開示の具体的な一実施例では、選択的は、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバ指示をサポートしないという条件、
第１のネットワーク及び／又は第２のネットワークがＮ２６インタフェースを備えないインターワーキングフローをサポートし、端末タイプが音声中心であるが、端末がハンドオーバ指示をサポートしないという条件、
第１のネットワーク及び／又は第２のネットワークがＮ２６インタフェースを備えないインターワーキングフローをサポートし、端末がシングル登録モードをサポートするが、端末がハンドオーバ指示をサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバ指示をサポートしないという条件のうちの少なくとも１つを満たすと、前記第２の動作を実行すると特定する。
【００５４】
本開示の具体的な一実施例では、選択的には、前記の端末がハンドオーバ指示をサポートするか否かの関連情報は、前記端末がハンドオーバ指示をサポートすることを含み、
前記端末が、ハンドオーバアタッチ開始、ハンドオーバ指示の位置更新開始、及びＰＤＵ接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする。
【００５５】
本開示の具体的な一実施例では、選択的には、前記ハンドオーバは、端末が第１のネットワークから第２のネットワークに移動するときに、端末のＩＰアドレス連続性の保持要求を指示することである。
【００５６】
本開示の具体的な一実施例では、選択的には、前記の第１のネットワーク及び／又は第２のネットワークが端末のハンドオーバ指示に基づく端末のＩＰ連続性の保持をサポートするか否かは、第１のネットワーク及び／又は第２のネットワークがハンドオーバアタッチをサポートするか否かを含む。
【００５７】
本開示の具体的な一実施例では、選択的には、ターゲットサービスは、ＩＭＳ音声サービスを含み、前記サービスサポート指示は、ＰＳドメインによりセッションを行う方式によるＩＭＳ音声サービスサポート指示、及び３ＧＰＰによりＰＳドメインにアクセスしてセッションを行う方式によるＩＭＳ音声サービスサポート指示のうちの１つである。
【００５８】
関連技術では、５ＧネットワークがＩＭＳ音声サービスを直接サポートしないか又は直接提供しないが、ＥＰＳネットワークによりＩＭＳ音声サービスを間接的に提供すると、５Ｇネットワークは、端末に音声サービスサポートの指示を送信し、端末をＩＭＳネットワークにリダイレクトして音声サービス／緊急サービスをサポートするプロセスにおいてＩＰアドレスの連続性を保証できる（即ち、前後で同じＩＰアドレスを採用する）か否かに注目せず、音声サービス／緊急サービスを確立できるか否かにも注目しない。
【００５９】
５Ｇネットワークが、ネットワーク及び／端末によるＩＰアドレス連続性の保持能力を考慮してターゲットサービスのサポート指示をセットすれば、例えば、端末のＩＰアドレスを保持できないと特定されると、端末にターゲットサービスのサービスサポートの指示を送信しないと、一部の端末、例えば、音声中心の端末（Ｖｏｉｃｅ  Ｃｅｎｔｒｉｃ  ＵＥ）は、５Ｇネットワークにアタッチせず、ターゲットサービスをサポートするＥＰＳネットワークにアタッチし、このときに、端末がターゲットサービス（例えば、音声サービス及び／又は緊急サービス）を開始するか又は受信することを確保することができる。データ中心の端末は、影響を受けず、５Ｇネットワークにアタッチし続けることができる。
【００６０】
したがって、本開示の実施例では、端末側は、取得されたサービス処理の関連情報に基づいて、アクセスドメイン選択の関連処理を行って、端末がターゲットサービスを正常に開始するか又は受信することができることを保証する。
【００６１】
図３に示すように、本開示の実施例のサービス処理方法は、端末に適用され、
サービス処理の関連情報を取得するステップ３１と、
取得された前記サービス処理の関連情報に少なくとも基づいて、アクセスドメイン選択の関連処理を行うステップ３２とを含み、
前記サービス処理の関連情報は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含んでよい。
【００６２】
端末は、自体設定により１項又は複数項のサービス処理の関連情報を取得することができる。端末は、第１のネットワークユニット、及び第２のネットワークユニットのうちの１つから、１項又は複数項のサービス処理の関連情報を受信することができる。
【００６３】
前記第２のネットワークユニットは、第１のネットワークにおける第２のネットワークユニット又は第２のネットワークにおけるコアネットワークのネットワークユニットであってよく、ＡＭＦ、ＭＭＥのうちの１つを少なくとも含んでよい。
【００６４】
前記第２のネットワークユニットは、第１のネットワークにおける第２のネットワークユニット又は第２のネットワークにおける無線アクセスネットワークのネットワークユニットであってよく、ＮＲ、ｅＬＴＥ、ＮＧ−ＲＡＮ、ＵＴＲＡＮ、ｅＮＢのうちの１つを少なくとも含んでよい。
【００６５】
なお、端末がハンドオーバ指示をサポートするか否かの関連内容は、前述したとおりであり、重複を避けるために、ここでは説明を省略する。
【００６６】
本開示の具体的な実施例では、前記第１のネットワークが端末の第２のネットワークへのリダイレクトをサポートするか否かは、具体的には、ターゲットサービスのＱｏＳフローを確立するときに、第１のネットワークの無線アクセスネットワークが端末の第２のネットワークへのリダイレクトをサポートするか否かである。
【００６７】
前記端末タイプは、音声中心、及びデータ中心のうちの１つを含んでよいが、これらに限定されない。
【００６８】
前記端末の登録モードは、シングル登録モード、及び二重登録モードのうちの１つを含んでよいが、これらに限定されない。
【００６９】
本開示の具体的な実施例では、アクセスドメイン選択の関連処理を行って、ターゲットサービスのＩＰアドレス連続性を保証する必要がある。一実施形態において、第２のネットワークがターゲットサービスをサポートしないか、又は第１のネットワーク又は端末が第２のネットワークへのリダイレクトをサポートしないか、又は第１のネットワークが端末を第２のネットワークにリダイレクトする方式で前記ターゲットサービスをサポートしなければ、リダイレクトによるＩＰアドレス変更は発生しない。したがって、本開示の具体的な実施例では、上記方法は、ある場合にしか実行されず、つまり、
本開示の具体的な実施例では、取得された前記サービス処理の関連情報に少なくとも基づいて、アクセスドメイン選択の関連処理を行うことは、具体的には、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、アクセスドメイン選択の関連処理を行うことであってよいか、
又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、アクセスドメイン選択の関連処理を行うことであってよい。
【００７０】
本開示の具体的な実施例では、収集された情報に基づいてアクセスドメイン選択の関連処理を行うのは、端末側であり、上記アクセスドメイン選択の関連処理は、
第１のネットワークに在圏することを選択する処理、
第１のネットワークに在圏することの選択を阻止する処理、
及び第２のネットワークに在圏することを選択する処理のうちの１つを少なくとも含む。
【００７１】
一実施形態において、端末は、端末が第２のネットワークにアクセスする能力をオフにすることにより、第１のネットワークに在圏することの選択を阻止することができる。
【００７２】
本開示の具体的な実施例では、端末は大量の情報を収集してアクセスドメイン選択の関連処理を行い、結果から見ると、１つの結果は、端末が第１のネットワークにおいてターゲットサービスを継続するように保持することであり、別の結果は、端末が第２のネットワークを選択してターゲットサービスを継続することであり、その一方、具体的にどのような場合にアクセスドメインをどのように選択するかについて、以下、一部の可能なポリシーについて説明する。
【００７３】
本開示の具体的な実施例では、
端末がＩＰアドレス連続性の保持要求をサポートするという条件、
第１のネットワーク及び／又は第２のネットワークが端末のＩＰアドレス連続性の保持をサポートするという条件、
及び第１のネットワーク及び／又は第２のネットワークが端末のＩＰアドレス連続性の保持をサポートすると共に、端末がＩＰアドレス連続性の保持要求をサポートするという条件のうちの少なくとも１つを満たすと、第１のネットワークに在圏することを選択することができる。
【００７４】
端末がＩＰアドレス連続性の保持要求をサポートすることは、
端末がハンドオーバ指示をサポートすることと、
第２のネットワークがハンドオーバ指示をサポートすることと、
端末がシングル登録モードをサポートすると共に、端末がハンドオーバ指示をサポートすることと、
端末が二重登録モードをサポートすることとで示されてよい。
【００７５】
本開示の具体的な実施例では、さらに、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、第１のネットワークに在圏することを選択することができる。
【００７６】
上記方式のいずれかでは、端末は第１のネットワークに在圏することができる。第１のネットワークが端末を第２のネットワークにリダイレクトする方式で前記ターゲットサービスをサポートするときに、ＩＰアドレス連続性を保持することができる。
【００７７】
データ中心の端末に対して、その音声サービスの優先度が低いため、第１のネットワークが端末を第２のネットワークにリダイレクトすることによりターゲットサービスを提供すると共に、端末がハンドオーバ指示をサポートしないときに、つまり、ＩＰアドレス連続性を保証できないときに、依然として第１のネットワーク（例えば、５Ｇネットワーク）に在圏することを選択することができる。
【００７８】
上記場合に、第１のネットワーク及び／又は第２のネットワークがＮ２６インタフェースを備えないインターワーキングフローをサポートすると、一実施形態において、ＩＰ連続性を確保しようとすれば、端末のサポートが必要であるため、第１のネットワーク及び／又は第２のネットワークがＮ２６インタフェースを備えないインターワーキングフローをサポートする場合に対して、第１のネットワークに在圏することを選択するには、さらに、
端末がＩＰアドレス連続性の保持要求をサポートするという条件、
端末がハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件のうちの任意の条件を追加することができる。
【００７９】
以上、端末がどのような条件で第１のネットワークに在圏することを選択するかを説明し、以下、他の観点から、端末がどのような条件で第１のネットワークに在圏するか又は第２のネットワークに在圏することの選択を阻止するかを直接説明する。
【００８０】
本開示の具体的な実施例では、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバ指示をサポートしないという条件、
第１のネットワーク及び／又は第２のネットワークがＮ２６インタフェースを備えないインターワーキングフローをサポートし、端末タイプが音声中心であるが、端末がハンドオーバ指示をサポートしないという条件、
第１のネットワーク及び／又は第２のネットワークがＮ２６インタフェースを備えないインターワーキングフローをサポートし、端末がシングル登録モードをサポートするが、端末がハンドオーバ指示をサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバ指示をサポートしないという条件のうちの少なくとも１つを満たすと、第１のネットワークに在圏することを選択するか又は第２のネットワークに在圏することの選択を阻止する。
【００８１】
本開示の具体的な実施例では、上記第１のネットワークと第２のネットワークは異なるネットワークに属し、例えば、５Ｇネットワーク、ＥＰＳネットワーク等であってよい。
【００８２】
関連技術では、５ＧネットワークがＩＭＳ音声サービスを直接サポートしないか又は直接提供しないが、ＥＰＳネットワークによりＩＭＳ音声サービスを間接的に提供すると、５Ｇネットワークは、端末に音声サービスサポートの指示を送信し、端末をＩＭＳネットワークにリダイレクトして音声サービス／緊急サービスをサポートするプロセスにおいてＩＰアドレスの連続性を保証できる（即ち、前後で同じＩＰアドレスを採用する）か否かに注目せず、音声サービス／緊急サービスを確立できるか否かにも注目しない。
【００８３】
５Ｇネットワークが、ネットワーク及び／端末によるＩＰアドレス連続性の保持能力を考慮してターゲットサービスのサポート指示をセットすれば、例えば、端末のＩＰアドレスを保持できないと特定されると、端末にターゲットサービスのサービスサポートの指示を送信しないと、一部の端末、例えば、音声中心の端末（Ｖｏｉｃｅ  Ｃｅｎｔｒｉｃ  ＵＥ）は、５Ｇネットワークにアタッチせず、ターゲットサービスをサポートするＥＰＳネットワークにアタッチし、このときに、端末がターゲットサービス（例えば、音声サービス及び／又は緊急サービス）を開始するか又は受信することを確保することができる。データ中心の端末は、影響を受けず、５Ｇネットワークにアタッチし続けることができる。
【００８４】
したがって、本開示の実施例では、ネットワーク側の無線アクセスユニットは、収集された情報に基づいて端末にリダイレクトを行うか否かを特定して、端末がターゲットサービスを正常に開始するか又は受信することを保証する。
【００８５】
図４に示すように、本開示の実施例のサービス処理方法は、第１のネットワークにおける第１のネットワークユニットに適用され、
サービス処理の関連情報を取得するステップ４１と、
取得された前記サービス処理の関連情報に少なくとも基づいて、ターゲットサービスのリダイレクトの関連処理を行うステップ４２とを含み、
前記サービス処理の関連情報は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含んでよい。
【００８６】
第１のネットワークユニットは、自体設定により１項又は複数項のサービス処理の関連情報を取得することができる。第１のネットワークユニットは、第２のネットワークユニット、及び端末のうちの１つから、１項又は複数項のサービス処理の関連情報を受信することができる。
【００８７】
前記第２のネットワークユニットは、第１のネットワークにおける第２のネットワークユニット又は第２のネットワークにおけるネットワークユニットであってよく、コアネットワークユニット、無線アクセスネットワークユニットのうちの１つを少なくとも含んでよい。
【００８８】
なお、端末がハンドオーバ指示をサポートするか否かの関連内容は、前述したとおりであり、重複を避けるために、ここでは説明を省略する。
【００８９】
本開示の具体的な一実施例では、前記第１のネットワークが端末の第２のネットワークへのリダイレクトをサポートするか否かは、具体的には、ターゲットサービスのＱｏＳフローを確立するときに、第１のネットワークの無線アクセスネットワークが端末の第２のネットワークへのリダイレクトをサポートするか否かであってよい。
【００９０】
前記端末タイプは、音声中心、及びデータ中心のうちの１つを含んでよいが、これらに限定されない。
【００９１】
前記端末の登録モードは、シングル登録モード、及び二重登録モードのうちの１つを含んでよいが、これらに限定されない。
【００９２】
本開示の具体的な実施例では、ターゲットサービスのリダイレクトの関連処理を行って、ターゲットサービスのＩＰアドレス連続性を保証する必要がある。一実施形態において、第２のネットワークがターゲットサービスをサポートしないか、又は第１のネットワーク又は端末が第２のネットワークへのリダイレクトをサポートしないか、又は第１のネットワークが端末を第２のネットワークにリダイレクトする方式で前記ターゲットサービスをサポートしなければ、リダイレクトによるＩＰアドレス変更は発生しない。したがって、本開示の具体的な実施例では、上記方法は、ある場合にしか実行されず、つまり、
取得された前記サービス処理の関連情報に少なくとも基づいて、ターゲットサービスのリダイレクトの関連処理を行うことは、具体的には、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスのリダイレクトの関連処理を行うことであるか、
又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスのリダイレクトの関連処理を行うことである。
【００９３】
本開示の具体的な実施例では、収集された情報に基づいてターゲットサービスのリダイレクトの関連処理を行うのは、ネットワーク側であり、上記ターゲットサービスのリダイレクトの関連処理は、
端末を第２のネットワークにリダイレクトしてターゲットサービスを継続することと、
及び端末を第１のネットワークに保持してターゲットサービスを継続することとのうちの１つを少なくとも含む。
【００９４】
本開示の具体的な実施例では、第１のネットワークにおける第１のネットワークユニットは、大量の情報を収集してターゲットサービスのリダイレクトの関連処理を行う。結果から見ると、１つの結果は、端末を第２のネットワークにリダイレクトしてターゲットサービスを継続することであり、別の結果は、端末を第１のネットワークに保持してターゲットサービスを継続することである。一実施形態において、第１のネットワークは、ターゲットサービスをサポートするが、信頼性を保証できないため、ターゲットサービスを直接提供することができない。しかしながら、端末を第２のネットワークにリダイレクトすればＩＰアドレス変更が発生してサービス中断を引き起こすより、端末を第１のネットワークに保持してターゲットサービスを継続して、信頼性が低いターゲットサービスを提供する方がいい。具体的には、どのような場合に端末を第２のネットワークにリダイレクトしてターゲットサービスを継続すべきか、どのような場合に端末を第１のネットワークに保持してターゲットサービスを継続するかについて、以下、一部の可能なポリシーについて説明する。
【００９５】
本開示の具体的な実施例では、
端末がＩＰアドレス連続性の保持要求をサポートするという条件、
第１のネットワーク及び／又は第２のネットワークが端末のＩＰアドレス連続性の保持をサポートするという条件、
及び第１のネットワーク及び／又は第２のネットワークが端末のＩＰアドレス連続性の保持をサポートすると共に、端末がＩＰアドレス連続性の保持要求をサポートするという条件のうちの少なくとも１つを満たすと、端末を第２のネットワークにリダイレクトしてターゲットサービスを継続することができる。
【００９６】
端末がＩＰアドレス連続性の保持要求をサポートすることは、
端末がハンドオーバ指示をサポートすることと、
第２のネットワークがハンドオーバ指示をサポートすることと、
端末がシングル登録モードをサポートすると共に、端末がハンドオーバ指示をサポートすることと、
端末が二重登録モードをサポートすることとで示されてよい。
【００９７】
本開示の具体的な実施例では、さらに、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、端末を第２のネットワークにリダイレクトしてターゲットサービスを継続することができる。
【００９８】
上記方式のいずれかでは、端末を第２のネットワークにリダイレクトしてターゲットサービスを継続して、ＩＰアドレス連続性を保持することができる。
【００９９】
上記場合に、第１のネットワーク及び／又は第２のネットワークがＮ２６インタフェースを備えないインターワーキングフローをサポートすると、一実施形態において、ＩＰ連続性を確保しようとすれば、端末のサポートが必要であるため、第１のネットワーク及び／又は第２のネットワークがＮ２６インタフェースを備えないインターワーキングフローをサポートする場合に対して、端末を第２のネットワークにリダイレクトしてターゲットサービスを継続するには、さらに、
端末がＩＰアドレス連続性の保持要求をサポートするという条件、
端末がハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件のうちの任意の条件を追加することができる。
【０１００】
以上、第１のネットワークがどのような条件で端末を第２のネットワークにリダイレクトしてターゲットサービスを継続するかを直接説明する。以下、他の観点から、第１のネットワークが端末を第１のネットワークに保持してターゲットサービスを継続すべきことを説明する。
【０１０１】
本開示の具体的な実施例では、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバ指示をサポートしないという条件、
第１のネットワーク及び／又は第２のネットワークがＮ２６インタフェースを備えないインターワーキングフローをサポートし、端末タイプが音声中心であるが、端末がハンドオーバ指示をサポートしないという条件、
第１のネットワーク及び／又は第２のネットワークがＮ２６インタフェースを備えないインターワーキングフローをサポートし、端末がシングル登録モードをサポートするが、端末がハンドオーバ指示をサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバ指示をサポートしないという条件のうちの少なくとも１つを満たすと、端末を第１のネットワークに保持してターゲットサービスを継続することができる。
【０１０２】
本開示の具体的な実施例では、上記第１のネットワークと第２のネットワークは異なるネットワークに属し、例えば、５Ｇネットワーク、ＥＰＳネットワーク等であってよい。
【０１０３】
第１のネットワークにおける第１のネットワークユニットは、無線アクセスネットワークのネットワークユニット、ＮＧ−ＲＡＮ、ｅＬＴＥ、ＮＲ等であってよい。
【０１０４】
図５に示すように、本開示の実施例の情報送信方法は、
ターゲットサービスの関連処理を行うために、サービス処理の関連情報を送信するか又は放送するステップ５１を含み、
前記サービス処理の関連情報は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含んでよい。
【０１０５】
ターゲットサービスの関連処理は、ターゲットサービスのサービスサポート指示の関連処理、アクセスドメイン選択の関連処理、及びターゲットサービスのリダイレクトの関連処理のうちの１つを含んでよい。
【０１０６】
一実施形態において、ターゲットサービスのサービスサポート指示の関連処理を行うために、サービス処理の関連情報を送信するか又は放送すると、実行主体は、第２のネットワークユニット又は端末の１つであってよい。前記第２のネットワークユニットは、第１のネットワークにおける第２のネットワークユニット又は第２のネットワークにおけるネットワークユニットであってよく、コアネットワークユニット、及び無線アクセスネットワークユニットのうちの１つを少なくとも含んでよい。
【０１０７】
一実施形態において、アクセスドメイン選択の関連処理を行うために、サービス処理の関連情報を送信するか又は放送すると、実行主体は、第１のネットワークユニット、及び第２のネットワークユニットのうちの１つであってよい。
【０１０８】
一実施形態において、ターゲットサービスのリダイレクトの関連処理を行うために、サービス処理の関連情報を送信するか又は放送すると、実行主体は、第２のネットワークユニット又は端末の１つであってよい。
【０１０９】
なお、端末がハンドオーバ指示をサポートするか否かの関連内容は、前述したとおりであり、重複を避けるために、ここでは説明を省略する。
【０１１０】
本開示の具体的な実施例では、前記第１のネットワークが端末の第２のネットワークへのリダイレクトをサポートするか否かは、具体的には、ターゲットサービスのＱｏＳフローを確立するときに、第１のネットワークの無線アクセスネットワークが端末の第２のネットワークへのリダイレクトをサポートするか否かであってよい。
【０１１１】
前記端末タイプは、音声中心、及びデータ中心のうちの１つを含んでよいが、これらに限定されない。
【０１１２】
前記端末の登録モードは、シングル登録モード、及び二重登録モードのうちの１つを含んでよいが、これらに限定されない。
【０１１３】
本開示の具体的な実施例では、第１のネットワークにおけるネットワークユニットは、上記サービス処理の関連情報を取得し、取得された前記サービス処理の関連情報に少なくとも基づいてターゲットサービスのサービスサポート指示の関連処理を行い、ターゲットサービスのサービスサポート指示の関連処理の関連内容について、以上、詳細に説明したので、ここでは説明を省略する。
【０１１４】
本開示の具体的な実施例では、端末は、上記サービス処理の関連情報を取得し、取得された前記サービス処理の関連情報に少なくとも基づいてアクセスドメイン選択の関連処理を行い、同様に、アクセスドメイン選択の関連処理の関連内容について、以上、詳細に説明したので、ここでは説明を省略する。
【０１１５】
本開示の具体的な実施例では、第１のネットワークにおけるネットワークユニットは、上記サービス処理の関連情報を取得し、取得された前記サービス処理の関連情報に少なくとも基づいてリダイレクトの関連処理を行い、同様に、リダイレクトの関連処理の関連内容について、以上、詳細に説明したので、ここでは説明を省略する。
【０１１６】
以下、具体的な適用例を参照しながら、本開示の実施例に係るサービス処理方法を説明し、なお、以下の具体的な適用例では、前述の実施例に説明された一部のパラメータしか考慮されない場合がある。
【０１１７】
図６を参照すると、図６は本開示の実施例に係る別のサービス処理方法の概略図であり、図６に示すように、以下のステップ６１〜ステップ６２を含む。
【０１１８】
ステップ６１では、端末がコアネットワークユニットに登録要求メッセージを送信する。
【０１１９】
選択的には、前記登録要求メッセージは、１項又は複数項のサービス処理の関連情報（サービス処理の関連情報がステップ２２に記載のとおりであり、ここでは説明を省略する）、ＵＥがハンドオーバアタッチをサポートするか否かの情報（即ち、端末が端末のＩＰアドレス連続性の保持要求をサポートするか否かの関連情報）、ＵＥが音声中心（即ち、Ｖｏｉｃｅ  Ｃｅｎｔｒｉｃ）であるか否か及びＵＥがデータ中心（即ちＤａｔａ  Ｃｅｎｔｒｉｃ）であるか否かの情報（即ち、端末タイプの関連情報）のうちの少なくとも１項を含んでよい。なお、データ中心のＵＥは、非音声中心のＵＥであると見なされてよい。
【０１２０】
本開示の具体的な一実施例では、コアネットワークユニットは、ステップ６１及び／又はステップ７１及び／又は自体設定により取得された前記サービス処理の関連情報に少なくとも基づいて、ターゲットサービスのサービスサポート指示の関連処理を行い、ステップ２２に記載のとおりであり、ここでは説明を省略する。
【０１２１】
ステップ６２では、コアネットワークユニットは端末に登録受付メッセージを送信する。
【０１２２】
本開示の具体的な実施例では、コアネットワークユニット（例えば、ＡＭＦ）は、ＵＥによって送信された登録要求メッセージを受信すると共に、収集された情報に基づいて、ＵＥに音声サービス（即ち、上記音声サービス）又は緊急サービスを含むターゲットサービスのサービスサポート指示を送信するか否かを特定する。
【０１２３】
本開示の具体的な実施例では、コアネットワークユニット（例えば、ＭＭＥ、ＡＭＦ）が音声サービスのサービスサポート指示をＵＥに送信するか否かを特定するときに、その具体的な実現プロセスを以下のように説明する。
【０１２４】
コアネットワークユニット（例えば、ＡＭＦ）は、ＵＥがハンドオーバアタッチをサポートするか否か、Ｎ２６インタフェースが設定されているか否か、５Ｇネットワークが音声サービスを直接サポートするか否か、ＥＰＳネットワークが音声サービスをサポートするか否か、５ＧネットワークがＵＥを他のネットワーク（例えば、ＥＰＳネットワーク）にリダイレクトして音声サービスをサポートするか否か、ＵＥが音声中心の（即ち、Ｖｏｉｃｅ  Ｃｅｎｔｒｉｃ）ＵＥであるか否か、及びＵＥがデータ中心の（即ち、Ｄａｔａ  Ｃｅｎｔｒｉｃ）ＵＥであるか否かのうちの少なくとも１項に基づいて、ＵＥに音声サービスのサービスサポート指示を送信するか否かを特定することができる。
【０１２５】
具体的には、コアネットワークユニット（例えば、ＡＭＦ）は、ＵＥによって送信された登録要求メッセージを受信した後、ＵＥに登録受付メッセージを送信することができる。選択的には、前記登録受付メッセージは、音声サービスがサポートされるか否かの指示情報を少なくとも含んでよい。
【０１２６】
選択的には、５Ｇネットワーク（例えば、５Ｇ  ＲＡＮ（Ｒａｄｉｏ  Ａｃｃｅｓｓ  Ｎｅｔｗｏｒｋ、無線アクセスネットワーク））がＵＥを他のネットワーク（例えば、ＥＰＳネットワーク）にリダイレクトして音声サービスをサポートし、かつＮ２６インタフェースを備えないと、５Ｇネットワークは、ＵＥがハンドオーバアタッチをサポートするか否かに基づいて、ＵＥに音声サービスのサービスサポート指示を送信するか否かを特定することができる。
【０１２７】
選択的には、５Ｇネットワーク（例えば、５Ｇ  ＲＡＮ）がＵＥを他のネットワーク（例えば、ＥＰＳネットワーク）にリダイレクトして音声サービスをサポートし、Ｎ２６インタフェースを備えず、かつＵＥが音声中心（即ち、Ｖｏｉｃｅ  Ｃｅｎｔｒｉｃ）であると、５Ｇネットワークは、ＵＥがハンドオーバアタッチをサポートするか否かに基づいて、ＵＥに音声サービスのサービスサポート指示を送信するか否かを特定することができる。
【０１２８】
選択的には、５Ｇネットワーク（例えば、５Ｇ  ＲＡＮ）がＵＥを他のネットワーク（例えば、ＥＰＳネットワーク）にリダイレクトして音声サービスをサポートすると、５Ｇネットワークは、ＵＥがハンドオーバアタッチをサポートするか否かに基づいて、ＵＥに音声サービスのサービスサポート指示を送信するか否かを特定することができる。
【０１２９】
本開示の具体的な実施例では、５ＧネットワークがＵＥによるハンドオーバアタッチのサポート可否に基づいて、ＵＥに音声サービスのサービスサポート指示を送信するか否かを特定するという処理は、
ＵＥがハンドオーバアタッチをサポートすると、ＵＥに音声サービスのサービスサポート指示（例えば、ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ又はＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ  ｏｖｅｒ  ３ＧＰＰ）を送信することができ、このときに、ＵＥのＩＰアドレスをリダイレクト後に保持でき、音声サービスを継続することができることと、
ＵＥがハンドオーバアタッチをサポートしないと、ＵＥに音声サービスのサービスサポート指示を送信しないか又はＵＥに音声サービスのサービスサポート不可指示（例えば、ＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎサポート不可指示又はＩＭＳ  ｖｏｉｃｅ  ｏｖｅｒ  ＰＳ  Ｓｅｓｓｉｏｎ  Ｓｕｐｐｏｒｔｅｄ  Ｉｎｄｉｃａｔｉｏｎ  ｏｖｅｒ  ３ＧＰＰサポート不可指示）を送信することができる。この場合、音声中心の（即ち、Ｖｏｉｃｅ  Ｃｅｎｔｒｉｃ）ＵＥがドメイン選択ルールに基づいて、５Ｇネットワークではなく、音声サービスをサポートするネットワーク（例えば、ＥＰＳネットワーク）にアタッチし、このように、ＵＥの音声サービスがサポートされることになる。なお、データ中心の（即ち、Ｄａｔａ  Ｃｅｎｔｒｉｃ）ＵＥは、実現形態に依存する。ＵＥが発呼しようとすれば、ＵＥの実現形態に基づいて、ＵＥはＥＰＳにアクセスして行うことができる。ＵＥが着呼しているときに、音声電話は依然としてロスが発生するが、ＵＥはデータ中心（即ち、Ｄａｔａ  Ｃｅｎｔｒｉｃ）であるため、影響が小さい。
【０１３０】
本開示の具体的な実施例では、コアネットワークユニット（例えば、ＭＭＥ、ＡＭＦ）が緊急サービスのサービスサポート指示をＵＥに送信するか否かを特定するときに、その具体的な実現プロセスを以下のように説明する。
【０１３１】
コアネットワークユニット（例えば、ＡＭＦ）は、ＵＥがハンドオーバアタッチをサポートするか否か、Ｎ２６インタフェースが設定されているか否か、５Ｇネットワークが音声サービスを直接サポートするか否か、ＥＰＳが音声サービスをサポートするか否か、５ＧネットワークがＵＥを他のネットワーク（例えば、ＥＰＳネットワーク）にリダイレクトして音声サービスをサポートするか否か、ＵＥが音声中心の（即ち、Ｖｏｉｃｅ  Ｃｅｎｔｒｉｃ）ＵＥであるか否か、及びＵＥがデータ中心の（即ち、Ｄａｔａ  Ｃｅｎｔｒｉｃ）ＵＥであるか否かのうちの少なくとも１項に基づいて、ＵＥに緊急サービスのサービスサポート指示を送信するか否かを特定することができる。
【０１３２】
コアネットワークユニット（例えば、ＡＭＦ）はＵＥに登録受付メッセージを送信する。選択的には、前記メッセージは、緊急サービスがサポートされるか否かの指示情報を少なくとも含んでよい。
【０１３３】
選択的には、５Ｇネットワーク（例えば、新しいアクセス（Ｎｅｗ  Ｒａｄｉｏ、ＮＲ）ｏｒ  ｅＬＴＥ）がＵＥを他のネットワーク（例えば、ＥＰＳネットワーク）にリダイレクトして音声サービスをサポートし、かつＮ２６インタフェースを備えないと、５Ｇネットワークは、ＵＥがハンドオーバアタッチをサポートするか否かに基づいて、ＵＥに緊急サービスのサービスサポート指示（ｐｅｒ  ＴＡ  ｐｅｒ  ＲＡＴ）を送信するか否かを特定することができる。
【０１３４】
選択的には、５Ｇネットワーク（例えば、ＮＲ  ｏｒ  ｅＬＴＥ）がＵＥを他のネットワーク（例えば、ＥＰＳネットワーク）にリダイレクトして音声サービスをサポートし、Ｎ２６インタフェースを備えず、かつＵＥが音声中心（即ち、Ｖｏｉｃｅ  Ｃｅｎｔｒｉｃ）であると、５Ｇネットワークは、ＵＥがハンドオーバアタッチをサポートするか否かに基づいて、ＵＥに緊急サービスのサービスサポート指示を送信するか否かを特定することができる。
【０１３５】
選択的には、５Ｇネットワーク（例えば、ＮＲ  ｏｒ  ｅＬＴＥ）がＵＥを他のネットワーク（例えば、ＥＰＳネットワーク）にリダイレクトして音声サービスをサポートすると、５Ｇネットワークは、ＵＥがハンドオーバアタッチをサポートするか否かに基づいて、ＵＥに緊急サービスのサービスサポート指示を送信するか否かを特定することができる。
【０１３６】
本開示の具体的な実施例では、コアネットワークユニットがＵＥによるハンドオーバアタッチのサポート可否に基づいて、ＵＥに緊急サービスのサービスサポート指示を送信するか否かを特定するという処理は、以下の１つを含んでよい。
【０１３７】
ＵＥがハンドオーバアタッチをサポートすると、ＵＥに緊急サービスのサービスサポート指示を送信することができる。この場合、ＵＥのＩＰアドレスをリダイレクト後に保持でき、緊急サービスを継続することができる。
【０１３８】
ＵＥがハンドオーバアタッチをサポートしないと、ＵＥに緊急サービスのサービスサポート指示を送信しないか又はＵＥに緊急サービスのサービスサポート不可指示を送信することができる。この場合、音声中心の（即ち、Ｖｏｉｃｅ  Ｃｅｎｔｒｉｃ）ＵＥがドメイン選択ルールに基づいて、５Ｇネットワークではなく、緊急サービスをサポートするネットワーク（例えば、ＥＰＳネットワーク）にアタッチし、このように、ＵＥの音声サービスがサポートされることになる。なお、データ中心の（即ち、Ｄａｔａ  Ｃｅｎｔｒｉｃ）ＵＥは、実現形態に依存し、ＵＥが発呼しようとすれば、ＵＥの実現形態に基づいて、ＵＥはＥＰＳにアクセスして行うことができ、ＵＥが着呼しているときに、音声電話は依然としてロスが発生するが、ＵＥはデータ中心（即ち、Ｄａｔａ  Ｃｅｎｔｒｉｃ）であるため、影響が小さい。
【０１３９】
ＵＥがハンドオーバアタッチをサポートしないと、ＵＥに緊急サービスのサービスサポート指示を送信しないが、フォールバック方式を採用する緊急サービス指示を送信する。この場合、発呼の緊急サービスに対して、ＵＥがフォールバック方式を採用する緊急サービス要求をサポートすれば、ＵＥはサービス要求を開始することができ、５ＧネットワークがＵＥをＥＰＳネットワークにフォールバックさせた後、ＵＥは緊急サービスに関連するＰＤＮ接続確立を開始し、緊急サービスを継続することができる。着呼に対して、依然としてロスが発生する。緊急サービスに対しては着呼がないため、影響を受けない。フォールバック方式を採用する緊急サービス要求をサポートしないＵＥに対して。
ＵＥがハンドオーバアタッチをサポートしないと共に、ＵＥがデータ中心の（即ち、Ｄａｔａ  Ｃｅｎｔｒｉｃ）ＵＥであると、ＵＥに緊急サービスのサービスサポート指示を送信することができる。ＵＥがＥＰＳにリダイレクトされた後、ＵＥは再発呼する。着呼しているときに、音声電話依然としてロスが発生するが、データ中心（即ち、Ｄａｔａ  Ｃｅｎｔｒｉｃ）であるため、影響が小さい。
【０１４０】
本開示の具体的な実施例では、ＵＥがコアネットワークユニット（例えば、ＭＭＥ又はＡＭＦ）の応答に基づいてアクセスドメインを選択する具体的な実現プロセスを以下のように説明する。
【０１４１】
本開示の実施例では、コアネットワークユニット（例えば、ＡＭＦ）は、ＵＥによって送信された登録要求メッセージを受信した後、ＵＥに登録受付メッセージを送信する。選択的には、前記登録受付メッセージは、Ｎ２６インタフェースをサポートするか否か、５Ｇネットワークが音声サービスを直接サポートするか否か、ＥＰＳが音声サービスをサポートするか否か、５ＧネットワークがＵＥを他のネットワーク（例えば、ＥＰＳネットワーク）にリダイレクトして音声サービスをサポートするか否かのうちの少なくとも１項を含んでよい。
【０１４２】
選択的には、ＵＥは、ＵＥによるハンドオーバアタッチのサポート可否に少なくとも基づいてＵＥアクセスドメインを選択することができる。具体的には、ＵＥがＵＥによるハンドオーバアタッチのサポート可否に基づいてＵＥアクセスドメインを選択するという処理は、以下の１つを含んでよい。
【０１４３】
ＵＥがハンドオーバアタッチをサポートすると、５Ｇネットワーク能力を備えたＵＥは５Ｇネットワークを選択してアクセスすることができる（例えば、５Ｇコアネットワークのセルに接続される）。
【０１４４】
ＵＥがハンドオーバアタッチをサポートしないと、５Ｇネットワーク能力を備えるＵＥは、
５Ｇネットワークにアクセスすることを選択しないことと、
５Ｇネットワーク能力とＥＰＳネットワーク能力を備えるＵＥがＥＰＳネットワークを選択してアクセスすることとのうちの１つを実行することができる。
【０１４５】
選択的には、５Ｇネットワーク（例えば、ＮＲ  ｏｒ  ｅＬＴＥ）がＵＥを他のネットワーク（例えば、ＥＰＳネットワーク）にリダイレクトして音声サービス又は緊急サービスをサポートし、かつＮ２６インタフェースを備えないと、ＵＥは、ＵＥによるハンドオーバアタッチのサポート可否に基づいて、ＵＥアクセスドメインを選択する必要がある。
【０１４６】
選択的には、５Ｇネットワーク（例えば、ＮＲ  ｏｒ  ｅＬＴＥ）がＵＥを他のネットワーク（例えば、ＥＰＳネットワーク）にリダイレクトして音声サービス又は緊急サービスをサポートし、Ｎ２６インタフェースを備えず、かつＵＥが音声中心（即ち、Ｖｏｉｃｅ  Ｃｅｎｔｒｉｃ）であると、ＵＥは、ＵＥによるハンドオーバアタッチのサポート可否に基づいて、ＵＥアクセスドメインを選択することができる。
【０１４７】
選択的には、５Ｇネットワーク（例えば、ＮＲ  ｏｒ  ｅＬＴＥ）がＵＥを他のネットワーク（例えば、ＥＰＳネットワーク）にリダイレクトして音声サービス又は緊急サービスをサポートすると、ＵＥは、ＵＥによるハンドオーバアタッチのサポート可否に基づいて、ＵＥアクセスドメインを選択することができる。
【０１４８】
選択的には、無線アクセスネットワークユニットは、ＮＧインタフェース確立要求メッセージによりコアネットワークユニットにサービス処理の関連メッセージ（例えば、無線アクセスネットワークユニットがＵＥを他のネットワーク（例えば、ＥＰＳネットワーク）にリダイレクトして音声サービス又は緊急サービスをサポートすることをサポートするか否かの関連情報）を送信し、コアネットワークユニットは、ＮＧインタフェース確立応答メッセージにより無線アクセスネットワークユニットにサービス処理の関連メッセージ（例えば、コアネットワークユニットがＮ２６インタフェースをサポートするか否かの関連情報）を送信することができる。具体的には、図７を参照すると、以下のステップ７１〜７２を含む。
【０１４９】
ステップ７１では、無線アクセスネットワークユニットは、コアネットワークユニットにＮＧインタフェース確立要求メッセージを送信する。
【０１５０】
選択的には、前記ＮＧインタフェース確立要求メッセージは、１項又は複数項のサービス処理の関連情報（サービス処理の関連情報がステップ２２に記載のとおりであり、ここでは説明を省略する）、及び無線アクセスネットワークユニットがＵＥを他のネットワーク（例えば、ＥＰＳネットワーク）にリダイレクトして音声サービス又は緊急サービスをサポートすることをサポートするか否かの情報を少なくとも含んでよい。
【０１５１】
ステップ７２では、コアネットワークユニットは、無線アクセスネットワークユニットにＮＧインタフェース確立応答メッセージを送信する。選択的には、前記ＮＧインタフェース確立応答メッセージは、１項又は複数項のサービス処理の関連情報（サービス処理の関連情報がステップ２２に記載のとおりであり、ここでは説明を省略する）、及びコアネットワークユニットがＮ26インタフェースをサポートするか否かの情報を少なくとも含んでよい。
【０１５２】
選択的には、コアネットワークユニットは、初期コンテキスト確立要求メッセージにより無線アクセスネットワークユニットに、上記サービス処理の関連情報（例えば、コアネットワークユニットがＮ２６インタフェースをサポートするか否か、ＵＥがハンドオーバアタッチをサポートするか否か、ＵＥが音声中心の（即ち、Ｖｏｉｃｅ  Ｃｅｎｔｒｉｃ）ＵＥであるか否か、及びＵＥがデータ中心の（即ち、Ｄａｔａ  Ｃｅｎｔｒｉｃ）ＵＥであるか否か、なお、データ中心のＵＥは、非音声中心のＵＥであると見なされてよい等）を送信することができ、無線アクセスネットワークユニットは、初期コンテキスト確立応答メッセージにより、コアネットワークユニットにサービス処理の関連情報（例えば、無線アクセスネットワークユニットがＵＥを他のネットワーク（例えば、ＥＰＳネットワーク）にリダイレクトして音声サービス又は緊急サービスをサポートすることをサポートするか否かの関連情報）を送信することができる。具体的には、図８を参照すると、以下のステップ８１〜ステップ８２を含む。
【０１５３】
ステップ８１では、コアネットワークユニットは、無線アクセスネットワークユニットに初期コンテキスト確立要求メッセージを送信する。
【０１５４】
選択的には、前記初期コンテキスト確立要求メッセージは、サービス処理の関連情報（サービス処理の関連情報がステップ２２に記載のとおりであり、ここでは説明を省略する）、コアネットワークユニットがＮ２６インタフェースをサポートするか否か、ＵＥがハンドオーバアタッチをサポートするか否か、ＵＥが音声中心の（即ち、Ｖｏｉｃｅ  Ｃｅｎｔｒｉｃ）ＵＥであるか否か、及びＵＥがデータ中心の（即ち、Ｄａｔａ  Ｃｅｎｔｒｉｃ）ＵＥであるか否かのうちの少なくとも１項を含んでよい。なお、データ中心のＵＥは、非音声中心のＵＥであると見なされてよい。
【０１５５】
本開示の具体的な一実施例では、無線アクセスネットワークユニット（例えば、ＮＲ、ｅＬＴＥ）はステップ８１及び／又はステップ７２及び／又は自体設定により取得された前記サービス処理の関連情報に少なくとも基づいて、ターゲットサービスのリダイレクトの関連処理を行い、ステップ４２に記載のとおりであり、ここでは説明を省略する。ステップ８２では、無線アクセスネットワークユニットは、コアネットワークユニットに初期コンテキスト確立応答メッセージを送信する。
【０１５６】
選択的には、前記初期コンテキスト確立応答メッセージは、無線アクセスネットワークユニットがＵＥを他のネットワーク（例えば、ＥＰＳネットワーク）にリダイレクトして音声サービス又は緊急サービスをサポートすることをサポートするか否かを少なくとも含んでよい。
【０１５７】
選択的には、無線アクセスネットワークユニットは、ＵＥによるハンドオーバアタッチのサポート可否に少なくとも基づいて、ＵＥを音声サービス又は緊急サービスをサポートできる他のネットワーク（例えば、ＥＰＳネットワーク）にリダイレクトするか否かを特定する。ＵＥがＵＥによるハンドオーバアタッチのサポート可否に基づいてＵＥアクセスドメインを選択するという処理は、以下の１つを含んでよい。
【０１５８】
ＵＥがハンドオーバアタッチをサポートすると、ＵＥを音声サービス又は緊急サービスをサポートする他のネットワーク（例えば、ＥＰＳネットワーク）にリダイレクトすることができる。
【０１５９】
ＵＥがハンドオーバアタッチをサポートしないと、ＵＥを音声サービス又は緊急サービスをサポートする他のネットワーク（例えば、ＥＰＳネットワーク）にリダイレクトしなくてよい。この場合、ＵＥは５Ｇネットワークにおいて音声サービス又は緊急サービスがそれほど信頼できないが、依然として行うことができる。そうでなければ、ＥＰＳネットワークにリダイレクトした後、ＩＰアドレスが変更するため、逆にコールドロップとなる。
【０１６０】
本開示の実施例では、音声サービス又は緊急サービスに関連するＱｏＳフロー確立要求又はサービス要求を受信すると、
無線アクセスネットワークユニットがＵＥを他のネットワーク（例えば、ＥＰＳネットワーク）にリダイレクトして音声サービス又は緊急サービスをサポートするように設定され、かつコアネットワークユニットがＮ２６インタフェースサポート不可を指示すると、無線アクセスネットワークユニットは、ＵＥによるハンドオーバアタッチのサポート可否に基づいて、ＵＥを他のネットワーク（例えば、ＥＰＳネットワーク）にリダイレクトするか否かを特定する処理と、
無線アクセスネットワークユニットがＵＥを他のネットワーク（例えば、ＥＰＳネットワーク）にリダイレクトして音声サービス又は緊急サービスをサポートするように設定され、コアネットワークユニットがＮ２６インタフェースサポート不可を指示し、かつＵＥが音声中心であると、無線アクセスネットワークユニットは、ＵＥによるハンドオーバアタッチのサポート可否に基づいて、ＵＥを他のネットワーク（例えば、ＥＰＳネットワーク）にリダイレクトするか否かを特定する処理と、
無線アクセスネットワークユニットがＵＥを他のネットワーク（例えば、ＥＰＳネットワーク）にリダイレクトして音声サービス又は緊急サービスをサポートするように設定されると、無線アクセスネットワークユニットは、ＵＥによるハンドオーバアタッチのサポート可否に基づいて、ＵＥを他のネットワーク（例えば、ＥＰＳネットワーク）にリダイレクトするか否かを特定する処理とのうちの１つを実行してよい。
【０１６１】
図９を参照すると、図９は、本開示の実施例に係る通信機器の構成図である。図９に示すように、通信機器９０は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための第１の取得モジュール９１と、
取得された前記サービス処理の関連情報に少なくとも基づいて、サービスサポート指示の関連処理であるターゲットサービスの関連処理を行うための第１の処理モジュール９２と、を含む。
【０１６２】
選択的には、前記第１の処理モジュール９２は、具体的には、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行う。
【０１６３】
選択的には、前記第１の処理モジュール９２は、具体的には、第１の動作又は第２の動作を実行し、前記第１の動作は、前記ターゲットサービスを指示するサービスサポート指示情報を特定するか、又はターゲットサービスのサービスが指示情報によるターゲットサービスサポートの指示をサポートするか否かを特定することであり、前記第２の動作は、前記ターゲットサービスを指示しないサービスサポート情報を特定するか、又はターゲットサービスのサービスが指示情報によるターゲットサービスのサポート不可の指示をサポートするか否かを特定することである。
【０１６４】
選択的には、前記第１の処理モジュール９２は、具体的には、
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する。
【０１６５】
選択的には、前記第１の処理モジュール９２は、具体的には、
第１のネットワーク及び／又は第２のネットワークがＮ２６インタフェースを備えないインターワーキングフローをサポートすると共に、端末が、
端末がＩＰアドレス連続性の保持要求をサポートするという条件、端末がハンドオーバアタッチをサポートするという条件、端末がシングル登録モードをサポートすると共に、端末がハンドオーバアタッチをサポートするという条件、端末が二重登録モードをサポートするという条件、及び端末タイプがデータ中心であるという条件のうちの少なくとも１つを端末が満たすと、第１の動作を実行すると特定する。
【０１６６】
選択的には、前記第１の処理モジュール９２は、具体的には、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバアタッチをサポートしないという条件、
第１のネットワーク及び／又は第２のネットワークがＮ２６インタフェースを備えないインターワーキングフローをサポートし、端末タイプが音声中心であるが、端末がハンドオーバアタッチをサポートしないという条件、
第１のネットワーク及び／又は第２のネットワークがＮ２６インタフェースを備えないインターワーキングフローをサポートし、端末がシングル登録モードをサポートするが、端末がハンドオーバアタッチをサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバアタッチをサポートしないという条件のうちの少なくとも１つを満たすと、前記第２の動作を実行すると特定する。
【０１６７】
本開示の実施例に係る通信機器９０は、図２の方法の実施例の各プロセスを実現し、かつ同じ技術的効果を達成することができ、重複を避けるために、ここでは説明を省略する。
【０１６８】
図１０を参照すると、図１０は、本開示の実施例に係る別の通信機器の構成図である。図１０に示すように、通信機器１００は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための第２の取得モジュール１０１と、
取得された前記サービス処理の関連情報に少なくとも基づいて、アクセスドメイン選択の関連処理であるターゲットサービスの関連処理を行うための第２の処理モジュール１０２と、を含む。
【０１６９】
選択的には、前記第２の処理モジュール１０２は、具体的には、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行う。
【０１７０】
選択的には、前記第２の処理モジュール１０２は、具体的には、第１の動作又は第２の動作を実行し、前記第１の動作は、第１のネットワークに在圏することを選択することであり、前記第２の動作は、第１のネットワークに在圏することの選択を阻止するか、又は第２のネットワークに在圏することを選択することである。
【０１７１】
選択的には、前記第２の処理モジュール１０２は、具体的には、
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する。
【０１７２】
選択的には、前記第２の処理モジュール１０２は、具体的には、
第１のネットワーク及び／又は第２のネットワークがＮ２６インタフェースを備えないインターワーキングフローをサポートすると共に、端末が、
端末がＩＰアドレス連続性の保持要求をサポートするという条件、端末がハンドオーバアタッチをサポートするという条件、端末がシングル登録モードをサポートすると共に、端末がハンドオーバアタッチをサポートするという条件、端末が二重登録モードをサポートするという条件、及び端末タイプがデータ中心であるという条件のうちの少なくとも１つを端末が満たすと、第１の動作を実行すると特定する。
【０１７３】
選択的には、前記第２の処理モジュール１０２は、具体的には、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバアタッチをサポートしないという条件、
第１のネットワーク及び／又は第２のネットワークがＮ２６インタフェースを備えないインターワーキングフローをサポートし、端末タイプが音声中心であるが、端末がハンドオーバアタッチをサポートしないという条件、
第１のネットワーク及び／又は第２のネットワークがＮ２６インタフェースを備えないインターワーキングフローをサポートし、端末がシングル登録モードをサポートするが、端末がハンドオーバアタッチをサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバアタッチをサポートしないという条件のうちの少なくとも１つを満たすと、前記第２の動作を実行すると特定する。
【０１７４】
本開示の実施例に係る通信機器１００は、図３の方法の実施例の各プロセスを実現し、かつ同じ技術的効果を達成することができ、重複を避けるために、ここでは説明を省略する。
【０１７５】
図１１を参照すると、図１１は、本開示の実施例に係る別の通信機器の構成図である。図１１に示すように、通信機器１１０は、
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための第３の取得モジュール１１１と、
取得された前記サービス処理の関連情報に少なくとも基づいて、リダイレクトの関連処理であるターゲットサービスの関連処理を行うための第３の処理モジュール１１２と、を含む。
【０１７６】
選択的には、前記第３の処理モジュール１１２は、具体的には、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行う。
【０１７７】
選択的には、前記第３の処理モジュール１１２は、具体的には、第１の動作又は第２の動作を実行する、前記第１の動作は、端末を第２のネットワークにリダイレクトしてターゲットサービスを継続することであり、前記第２の動作は、端末を第１のネットワークに保持してターゲットサービスを継続することである。
【０１７８】
選択的には、前記第３の処理モジュール１１２は、具体的には、
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する。
【０１７９】
選択的には、前記第３の処理モジュール１１２は、具体的には、
第１のネットワーク及び／又は第２のネットワークがＮ２６インタフェースを備えないインターワーキングフローをサポートすると共に、端末が、
端末がＩＰアドレス連続性の保持要求をサポートするという条件、端末がハンドオーバアタッチをサポートするという条件、端末がシングル登録モードをサポートすると共に、端末がハンドオーバアタッチをサポートするという条件、端末が二重登録モードをサポートするという条件、及び端末タイプがデータ中心であるという条件のうちの少なくとも１つを端末が満たすと、第１の動作を実行すると特定する。
【０１８０】
選択的には、前記第３の処理モジュール１１２は、具体的には、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバアタッチをサポートしないという条件、
第１のネットワーク及び／又は第２のネットワークがＮ２６インタフェースを備えないインターワーキングフローをサポートし、端末タイプが音声中心であるが、端末がハンドオーバアタッチをサポートしないという条件、
第１のネットワーク及び／又は第２のネットワークがＮ２６インタフェースを備えないインターワーキングフローをサポートし、端末がシングル登録モードをサポートするが、端末がハンドオーバアタッチをサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバアタッチをサポートしないという条件のうちの少なくとも１つを満たすと、前記第２の動作を実行すると特定する。
【０１８１】
本開示の実施例に係る通信機器１１０は、図４の方法の実施例の各プロセスを実現し、かつ同じ技術的効果を達成することができ、重複を避けるために、ここでは説明を省略する。
【０１８２】
図１２を参照すると、図１２は、本開示の実施例に係る通信機器の構成図である。図１２に示すように、通信機器１２０は、
ターゲットサービスのサービスサポート指示の関連処理、又はアクセスドメイン選択の関連処理又はターゲットサービスのリダイレクトの関連処理を行うために、サービス処理の関連情報を送信するか又は放送する送信モジュール１２１を含み、
前記サービス処理の関連情報は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む。
【０１８３】
本開示の実施例に係る通信機器１２０は、図５の方法の実施例の各プロセスを実現し、かつ同じ技術的効果を達成することができ、重複を避けるために、ここでは説明を省略する。
【０１８４】
本開示の実施例は、プロセッサと、メモリと、前記メモリに記憶されて前記プロセッサ上で実行可能で、前記プロセッサによって実行されると、上記サービス処理方法の実施例の各プロセスを実現し、かつ同じ技術的効果を達成することができるコンピュータプログラムとを含む通信機器をさらに提供し、重複を避けるために、ここでは説明を省略する。
【０１８５】
本開示の実施例は、プロセッサと、メモリと、前記メモリに記憶されて前記プロセッサ上で実行可能で、前記プロセッサによって実行されると、上記情報送信方法の実施例の各プロセスを実現し、かつ同じ技術的効果を達成することができるコンピュータプログラムとを含む通信機器をさらに提供し、重複を避けるために、ここでは説明を省略する。
【０１８６】
本開示の実施例は、プロセッサによって実行されると、上記サービス処理方法の実施例の各プロセスを実現し、かつ同じ技術的効果を達成することができるコンピュータプログラムが記憶されているコンピュータ読み取り可能な記憶媒体をさらに提供し、重複を避けるために、ここでは説明を省略する。
【０１８７】
本開示の実施例は、プロセッサによって実行されると、上記情報送信方法の実施例の各プロセスを実現し、かつ同じ技術的効果を達成することができるコンピュータプログラムが記憶されているコンピュータ読み取り可能な記憶媒体をさらに提供し、重複を避けるために、ここでは説明を省略する。
【０１８８】
図１３を参照すると、図１３は、本開示の実施例に係る別の通信機器の構成図であり、図１３に示すように、通信機器１３００は、第１のプロセッサ１３０１、第１のメモリ１３０２、第１のバスインタフェース１３０３及び第１のトランシーバー１３０４を含み、第１のプロセッサ１３０１、第１のメモリ１３０２及び第１のトランシーバー１３０４がいずれも第１のバスインタフェース１３０３に接続される。
【０１８９】
第１のプロセッサ１３０１は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得し、取得された前記サービス処理の関連情報に少なくとも基づいて、サービスサポート指示の関連処理であるターゲットサービスの関連処理を行う。
【０１９０】
選択的には、前記第１のプロセッサ１３０１は、さらに、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行う。
【０１９１】
選択的には、前記第１のプロセッサ１３０１は、さらに、第１の動作又は第２の動作を実行し、前記第１の動作は、前記ターゲットサービスを指示するサービスサポート指示情報を特定するか、又はターゲットサービスのサービスが指示情報によるターゲットサービスサポートの指示をサポートするか否かを特定することであり、前記第２の動作は、前記ターゲットサービスを指示しないサービスサポート情報を特定するか、又はターゲットサービスのサービスが指示情報によるターゲットサービスのサポート不可の指示をサポートするか否かを特定することである。
【０１９２】
選択的には、前記第１のプロセッサ１３０１は、さらに、
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する。
【０１９３】
選択的には、前記第１のプロセッサ１３０１は、さらに、
第１のネットワーク及び／又は第２のネットワークがＮ２６インタフェースを備えないインターワーキングフローをサポートすると共に、端末が、
端末がＩＰアドレス連続性の保持要求をサポートするという条件、端末がハンドオーバアタッチをサポートするという条件、端末がシングル登録モードをサポートすると共に、端末がハンドオーバアタッチをサポートするという条件、端末が二重登録モードをサポートするという条件、及び端末タイプがデータ中心であるという条件のうちの少なくとも１つを端末が満たすと、第１の動作を実行すると特定する。
【０１９４】
選択的には、前記第１のプロセッサ１３０１は、さらに、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバアタッチをサポートしないという条件、
第１のネットワーク及び／又は第２のネットワークがＮ２６インタフェースを備えないインターワーキングフローをサポートし、端末タイプが音声中心であるが、端末がハンドオーバアタッチをサポートしないという条件、
第１のネットワーク及び／又は第２のネットワークがＮ２６インタフェースを備えないインターワーキングフローをサポートし、端末がシングル登録モードをサポートするが、端末がハンドオーバアタッチをサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバアタッチをサポートしないという条件のうちの少なくとも１つを満たすと、前記第２の動作を実行すると特定する。
【０１９５】
図１４は、本開示の各実施例を実現する通信機器のハードウェア概略構成図である。図１４を参照すると、該通信機器１４００は、無線周波数ユニット１４０１、ネットワークモジュール１４０２、オーディオ出力ユニット１４０３、入力ユニット１４０４、センサ１４０５、表示ユニット１４０６、ユーザ入力ユニット１４０７、インタフェースユニット１４０８、第２のメモリ１４０９、第２のプロセッサ１４１０及び電源１４１１等の部品を含むが、これらに限定されない。当業者が理解できるように、図１４に示す通信機器構成は、通信機器を限定するものではなく、通信機器は、図示より多いか又は少ない部品を含んでよく、ある部品を組み合わせたり、異なる部品を配置したりしてもよい。本開示の実施例では、通信機器は、携帯電話、タブレット、ノートパソコン、ハンドトップ、車載端末、ウェアラブルデバイス及び歩数計等を含むが、これらに限定されない。
【０１９６】
第２のプロセッサ１４１０は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得し、取得された前記サービス処理の関連情報に少なくとも基づいて、アクセスドメイン選択の関連処理であるターゲットサービスの関連処理を行う。
【０１９７】
選択的には、前記第２のプロセッサ１４１０は、さらに、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行う。
【０１９８】
選択的には、前記第２のプロセッサ１４１０は、さらに、第１の動作又は第２の動作を実行し、前記第１の動作は、第１のネットワークに在圏することを選択することであり、前記第２の動作は、第１のネットワークに在圏することの選択を阻止するか、又は第２のネットワークに在圏することを選択することである。
【０１９９】
選択的には、前記第２のプロセッサ１４１０は、さらに、
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する。
【０２００】
選択的には、前記第２のプロセッサ１４１０は、さらに、
第１のネットワーク及び／又は第２のネットワークがＮ２６インタフェースを備えないインターワーキングフローをサポートすると共に、端末が、
端末がＩＰアドレス連続性の保持要求をサポートするという条件、端末がハンドオーバアタッチをサポートするという条件、端末がシングル登録モードをサポートすると共に、端末がハンドオーバアタッチをサポートするという条件、端末が二重登録モードをサポートするという条件、及び端末タイプがデータ中心であるという条件のうちの少なくとも１つを端末が満たすと、第１の動作を実行すると特定する。
【０２０１】
選択的には、前記第２のプロセッサ１４１０は、さらに、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバアタッチをサポートしないという条件、
第１のネットワーク及び／又は第２のネットワークがＮ２６インタフェースを備えないインターワーキングフローをサポートし、端末タイプが音声中心であるが、端末がハンドオーバアタッチをサポートしないという条件、
第１のネットワーク及び／又は第２のネットワークがＮ２６インタフェースを備えないインターワーキングフローをサポートし、端末がシングル登録モードをサポートするが、端末がハンドオーバアタッチをサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバアタッチをサポートしないという条件のうちの少なくとも１つを満たすと、前記第２の動作を実行すると特定する。
【０２０２】
なお、本開示の実施例では、無線周波数ユニット１４０１は、情報の送受信、又は通話中の信号の送受信に用いられてよく、具体的には、基地局からのダウンリンクデータを受信した後、第２のプロセッサ１４１０に処理させ、また、アップリンクデータを基地局に送信する。一般的に、無線周波数ユニット１４０１は、アンテナ、少なくとも１つの増幅器、送受信機、カプラ、低雑音増幅器、デュプレクサ等を含むが、これらに限定されない。また、無線周波数ユニット１４０１は、さらに無線通信システムによりネットワーク及び他の機器と通信してよい。
【０２０３】
通信機器は、ネットワークモジュール１４０２によりユーザに無線のブロードバンドインターネットアクセスを提供して、ユーザの電子メールの送受信、ウェブの閲覧及びストリーミングメディアのアクセス等を助ける。
【０２０４】
オーディオ出力ユニット１４０３は、無線周波数ユニット１４０１又はネットワークモジュール１４０２によって受信されるか、又は第２のメモリ１４０９に記憶されるオーディオデータをオーディオ信号に変換して音声として出力することができる。そして、オーディオ出力ユニット１４０３は、さらに通信機器１４００によって実行される特定の機能に関連するオーディオ出力（例えば、コール着信音、メッセージ着信音等）を提供することができる。オーディオ出力ユニット１４０３は、スピーカー、ブザー及びレシーバー等を含む。
【０２０５】
入力ユニット１４０４は、オーディオ又はビデオ信号を受信する。入力ユニット１４０４は、グラフィック第２処理ユニット（Ｇｒａｐｈｉｃｓ  Ｐｒｏｃｅｓｓｉｎｇ  Ｕｎｉｔ、ＧＰＵ）１４０４１及びマイクロフォン１４０４２を含んでよく、グラフィック第２処理ユニット１４０４１は、動画撮影モード又は撮影モードで撮影機器（例えば、カメラ）によって取得された静止画像又はビデオの画像データを処理する。処理後の画像フレームは表示ユニット１４０６に表示されてよい。グラフィック第２処理ユニット１４０４１によって処理された画像フレームは、第２のメモリ１４０９（又は他の記憶媒体）に記憶されてもよく、無線周波数ユニット１４０１又はネットワークモジュール１４０２によって送信されてもよい。マイクロフォン１４０４２は、音声を受信し、かつこのような音声をオーディオデータに処理することができる。処理後のオーディオデータを、電話通話モードの場合に無線周波数ユニット１４０１によって移動通信基地局に送信されるフォーマットに変換して出力することができる。
【０２０６】
通信機器１４００は、さらに、光センサ、動きセンサ及び他のセンサ等のような少なくとも１種のセンサ１４０５を含む。具体的には、光センサは、環境光線の明るさに応じて表示パネル１４０６１の輝度を調節することができる環境光センサと、通信機器１４００が耳元に移動するときに、表示パネル１４０６１及び／又はバックライトをオフにすることができる近接センサとを含む。動きセンサの１種として、加速センサは、各方向（一般的に３軸）の加速度の大きさを検出でき、静止時に重力の大きさ及び方向を検出でき、通信機器姿勢の識別（例えば、縦向きと横向きの切替、ゲーム関連、磁力計の姿勢較正）、振動識別に関連する機能（例えば、歩数計、タッピング）等に用いられてよく、センサ１４０５は、さらに指紋センサ、圧力センサ、虹彩センサ、分子センサ、ジャイロスコープ、気圧計、湿度計、温度計、赤外線センサ等を含んでよく、ここでは説明を省略する。
【０２０７】
表示ユニット１４０６は、ユーザによって入力された情報又はユーザに提供された情報を表示する。表示ユニット１４０６は、表示パネル１４０６１を含んでよく、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）等の形式で表示パネル１４０６１を設定してよい。
【０２０８】
ユーザ入力ユニット１４０７は、入力された数字又は文字情報を受信すると共に、通信機器のユーザセッティング及び機能制御に関連するキー信号入力を生成することができる。具体的には、ユーザ入力ユニット１４０７は、タッチパネル１４０７１及び他の入力機器１４０７２を含む。タッチパネル１４０７１は、タッチスクリーンとも呼ばれ、その上又はその近くでのユーザのタッチ操作（例えば、指、スタイラスペン等の任意の適切な物体又は付属品を用いるタッチパネル１４０７１上又はタッチパネル１４０７１の近くでのユーザの操作）を収集することができる。タッチパネル１４０７１は、タッチ検出機器及びタッチコントローラの２つの部品を含んでよい。タッチ検出機器は、ユーザのタッチ方向を検出し、タッチ操作による信号を検出し、信号をタッチコントローラに伝送し、タッチコントローラは、タッチ検出機器からタッチ情報を受信し、かつタッチポイント座標に変換し、その後に第２のプロセッサ１４１０に送信し、第２のプロセッサ１４１０から送信されたコマンドを受信し、実行する。また、抵抗式、容量式、赤外線式及び表面弾性波式等の複数のタイプでタッチパネル１４０７１を実現することができる。タッチパネル１４０７１に加えて、入力ユニット１４０７は、他の入力デバイス１４０７２をさらに含んでよい。具体的には、他の入力デバイス１４０７２は、物理キーボード、機能キー（例えば、ボリューム調節キー、スイッチキー等）、トラックボール、マウス、及び操作レバーを含むが、これらに限定されず、ここでは説明を省略する。
【０２０９】
さらに、タッチパネル１４０７１は、表示パネル１４０６１をカバーしてよく、タッチパネル１４０７１がその上又はその近くでのタッチ操作を検出した後、第２のプロセッサ１４１０に伝送してタッチイベントのタイプを特定し、その後に、第２のプロセッサ１４１０は、タッチイベントのタイプに応じて表示パネル１４０６１に対応する視覚的出力を提供する。図において、タッチパネル１４０７１と表示パネル１４０６１は２つの独立した部品として通信機器の入力と出力機能を実現するが、いくつかの実施例では、タッチパネル１４０７１と表示パネル１４０６１を一体化して通信機器の入力と出力機能を実現することができ、ここで限定しない。
【０２１０】
インタフェースユニット１４０８は、外部機器と通信機器１４００を接続するインタフェースである。例えば、外部機器は、有線又は無線ヘッドフォンポート、外部電源（又は電池充電器）ポート、有線又は無線データポート、メモリカードポート、識別モジュールを備えた機器との接続用ポート、オーディオ入力／出力（Ｉ／Ｏ）ポート、ビデオＩ／Ｏポート、ヘッドフォンポート等を含んでよい。インタフェースユニット１４０８は、外部機器からの入力（例えば、データ情報、電力等）を受信すると共に、受信した入力を通信機器１４００内の１つ又は複数の素子に伝送するか又は通信機器１４００と外部機器の間にデータを伝送することができる。
【０２１１】
第２のメモリ１４０９は、ソフトウェアプログラム及び様々なデータを記憶することができる。第２のメモリ１４０９は、主に、オペレーティングシステム、少なくとも１つの機能に必要なアプリケーションプログラム（例えば、音声再生機能、画像再生機能等）等を記憶することができるプログラム記憶領域と、携帯電話の使用に応じて作成されたデータ（例えば、オーディオデータ、電話帳等）等を記憶することができるデータ記憶領域を含んでよい。また、第２のメモリ１４０９は、高速ランダムアクセス第２メモリを含んでよく、少なくとも１つの磁気ディスク第２メモリ素子、フラッシュメモリ素子又は他の揮発性固体第２メモリ素子等の不揮発性第２メモリを含んでもよい。
【０２１２】
第２のプロセッサ１４１０は、通信機器の制御センターであり、様々なインタフェースと回線により通信機器全体の各部分に接続され、第２のメモリ１４０９に記憶されたソフトウェアプログラム及び／又はモジュールを動作させるか又は実行し、第２のメモリ１４０９に記憶されたデータを呼び出すことにより、通信機器の様々な機能とデータ処理を実行して、通信機器全体を監視する。第２のプロセッサ１４１０は、１つ又は複数の処理ユニットを含んでよく、選択的には、第２のプロセッサ１４１０は、主にオペレーティングシステム、ユーザインタフェース及びアプリケーションプログラム等を処理する第２のアプリケーションプロセッサと、主に無線通信を処理する第２のモデムプロセッサとを集積することができる。理解できるように、上記第２のモデムプロセッサは、第２のプロセッサ１４１０に集積されなくてもよい。
【０２１３】
通信機器１４００は、各部品に給電する電源１４１１（例えば、電池）を含んでよく、選択的には、電源１４１１は、電源管理システムにより第２のプロセッサ１４１０と論理的に接続されて、電源管理システムにより充電、放電の管理及び消費電力の管理等の機能を実現する。
【０２１４】
また、通信機器１４００は、いくつかの未図示の機能モジュールを含み、ここでは説明を省略する。
【０２１５】
図１５を参照すると、図１５は、本開示の実施例に係る別の通信機器の構成図であり、図１５に示すように、通信機器１５００は、第３のプロセッサ１５０１、第３のメモリ１５０２、第３のバスインタフェース１５０３及び第３のトランシーバー１５０４を含み、第３のプロセッサ１５０１、第３のメモリ１５０２及び第３のトランシーバー１５０４がいずれも第３のバスインタフェース１５０３に接続される。
【０２１６】
第３のプロセッサ１５０１は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得し、取得された前記サービス処理の関連情報に少なくとも基づいて、リダイレクトの関連処理であるターゲットサービスの関連処理を行う。
【０２１７】
選択的には、前記第３のプロセッサ１５０１は、さらに、
第２のネットワークがターゲットサービスをサポートし、第１のネットワークが端末の第２のネットワークへのリダイレクトをサポートすると共に、端末が第２のネットワークへのリダイレクトをサポートすると、取得された前記サービス処理の関連情報に基づいて、ターゲットサービスの関連処理を行うか、又は、
第２のネットワークがターゲットサービスをサポートし、第１のネットワークが端末を第２のネットワークにリダイレクトする方式で前記ターゲットサービスをサポートすると、取得された前記サービス処理の関連情報に基づいて、ターゲットサービスの関連処理を行う。
【０２１８】
選択的には、前記第３のプロセッサ１５０１は、さらに、第１の動作又は第２の動作を実行し、前記第１の動作は、端末を第２のネットワークにリダイレクトしてターゲットサービスを継続することであり、前記第２の動作は、端末を第１のネットワークに保持してターゲットサービスを継続することである。
【０２１９】
選択的には、前記第３のプロセッサ１５０１は、さらに、
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する。
【０２２０】
選択的には、前記第３のプロセッサ１５０１は、さらに、
第１のネットワーク及び／又は第２のネットワークがＮ２６インタフェースを備えないインターワーキングフローをサポートすると共に、端末が
端末がＩＰアドレス連続性の保持要求をサポートするという条件、端末がハンドオーバアタッチをサポートするという条件、端末がシングル登録モードをサポートすると共に、端末がハンドオーバアタッチをサポートするという条件、端末が二重登録モードをサポートするという条件、及び端末タイプがデータ中心であるという条件のうちの少なくとも１つを端末が満たすと、第１の動作を実行すると特定する。
【０２２１】
選択的には、前記第３のプロセッサ１５０１は、さらに、
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバアタッチをサポートしないという条件、
第１のネットワーク及び／又は第２のネットワークがＮ２６インタフェースを備えないインターワーキングフローをサポートし、端末タイプが音声中心であるが、端末がハンドオーバアタッチをサポートしないという条件、
第１のネットワーク及び／又は第２のネットワークがＮ２６インタフェースを備えないインターワーキングフローをサポートし、端末がシングル登録モードをサポートするが、端末がハンドオーバアタッチをサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバアタッチをサポートしないという条件のうちの少なくとも１つを満たすと、前記第２の動作を実行すると特定する。
【０２２２】
図１６を参照すると、図１６は、本開示の実施例に係る別の通信機器の構成図であり、図１６に示すように、通信機器１６００は、第４のプロセッサ１６０１、第４のメモリ１６０２、第４のバスインタフェース１６０３及び第４のトランシーバー１６０４を含み、第４のプロセッサ１６０１、第４のメモリ１６０２及び第４のトランシーバー１６０４がいずれも第４のバスインタフェース１６０３に接続される。
【０２２３】
第４のトランシーバー１６０４は、ターゲットサービスのサービスサポート指示の関連処理、又はアクセスドメイン選択の関連処理又はターゲットサービスのリダイレクトの関連処理を行うために、サービス処理の関連情報を送信し、
前記サービス処理の関連情報は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む。
【０２２４】
なお、本明細書において、用語「含む」、「含有」又はそれらの任意の変形は、非排他的な包含をカバーすることを意図することにより、一連の要素を含むプロセス、方法、物品又は機器は、それらの要素を含むだけでなく、明確に列記されていない他の要素も含み、又はこのようなプロセス、方法、物品又は機器の固有の要素をさらに含む。より多くの限定がない場合に、語句「１つ．．．を含む」により限定された要素は、該要素を含むプロセス、方法、物品又は装置にさらに別の同一の要素が存在することを排除するものではない。
【０２２５】
以上の実施形態の説明により、当業者は、上記実施例の方法がソフトウェアと必要な汎用ハードウェアプラットフォームを併用した方法で実現でき、当然のことながらハードウェアでも実現できるが、多くの場合に前者がより好ましい実施形態であることを明確に理解することができる。このような理解に基づいて、本開示の技術手段は本質的又は関連技術に寄与する部分がソフトウェア製品の形態で具現化されてもよく、該コンピュータソフトウェア製品は記憶媒体（例えば、ＲＯＭ／ＲＡＭ、磁気ディスク、光ディスク）内に記憶され、一台の端末（携帯電話、コンピュータ、サーバ、エアコン又はネットワーク機器などであってもよい）に本開示の各実施例に記載の方法を実行させるための複数の命令を含む。
【０２２６】
以上で添付図面を結合して本開示の実施例を説明したが、本開示は、上記具体的な実施形態に限定されるものではなく、上記具体的な実施形態は、ただ例示的なものであり、制限的なものではなく、当業者であれば本開示の示唆で、本開示の趣旨及び特許請求の範囲の保護範囲から逸脱せずに多くの形式を行うことができ、これらはいずれも本開示の保護範囲内に属する。
【図１】
2021519006.tif 000003
【図２】
2021519006.tif 000004
【図３】
2021519006.tif 000005
【図４】
2021519006.tif 000006
【図５】
2021519006.tif 000007
【図６】
2021519006.tif 000008
【図７】
2021519006.tif 000009
【図８】
2021519006.tif 000010
【図９】
2021519006.tif 000011
【図１０】
2021519006.tif 000012
【図１１】
2021519006.tif 000013
【図１２】
2021519006.tif 000014
【図１３】
2021519006.tif 000015
【図１４】
2021519006.tif 000016
【図１５】
2021519006.tif 000017
【図１６】
2021519006.tif 000018
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
第１のネットワークにおける第１のネットワークユニットに適用されるサービス処理方法であって、
端末が端末のＩＰ（Ｉｎｔｅｒｎｅｔ  Ｐｒｏｔｏｃｏｌ）アドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得することと、
取得された前記サービス処理の関連情報に少なくとも基づいて、サービスサポート指示の関連処理であるターゲットサービスの関連処理を行うこととを含む、サービス処理方法。
【請求項２】
前記の端末がハンドオーバ指示をサポートするか否かの関連情報は、前記端末がハンドオーバ指示をサポートすることを含み、
前記端末が、ハンドオーバアタッチ開始、ハンドオーバ指示の位置更新開始、及びＰＤＵ（Ｐｒｏｔｏｃｏｌ  Ｄａｔａ  Ｕｎｉｔ）接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳ（Ｅｖｏｌｖｅｄ  Ｐａｃｋｅｔ  Ｓｙｓｔｅｍ）ネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする、請求項１に記載のサービス処理方法。
【請求項３】
前記ターゲットサービスの関連処理を行うことは、第１の動作又は第２の動作を実行することであり、前記第１の動作は、前記ターゲットサービスを指示するサービスサポート指示情報を特定するか、又はターゲットサービスのサービスが指示情報によるターゲットサービスサポートの指示をサポートするか否かを特定することであり、前記第２の動作は、前記ターゲットサービスを指示しないサービスサポート情報を特定するか、又はターゲットサービスのサービスが指示情報によるターゲットサービスのサポート不可の指示をサポートするか否かを特定することである、請求項１に記載のサービス処理方法。
【請求項４】
端末がＩＰアドレス連続性の保持要求をサポートするという条件、
第１のネットワーク及び／又は第２のネットワークが端末のＩＰアドレス連続性の保持をサポートするという条件、
第１のネットワーク及び／又は第２のネットワークが端末のＩＰアドレス連続性の保持をサポートすると共に、端末がＩＰアドレス連続性の保持要求をサポートするという条件、
端末がハンドオーバ指示をサポートするという条件、
第２のネットワークがハンドオーバ指示をサポートするという条件、
端末がシングル登録モードをサポートすると共に、端末がハンドオーバ指示をサポートするという条件、
端末が二重登録モードをサポートするという条件、
端末タイプがデータ中心であるという条件、
第１のネットワーク及び／又は第２のネットワークがＮ２６インタフェースを備えるインターワーキングフローをサポートするという条件、
及び第１のネットワーク及び／又は第２のネットワークがＮ２６インタフェースを備えないインターワーキングフローをサポートするという条件のうちの少なくとも１つを満たすと、前記第１の動作を実行すると特定する、請求項３に記載のサービス処理方法。
【請求項５】
端末がＩＰアドレス連続性の保持要求をサポートしないという条件、
第１のネットワーク及び／又は第２のネットワークが端末のＩＰアドレス連続性の保持をサポートしないという条件、
第１のネットワーク及び／又は第２のネットワークが端末のＩＰアドレス連続性の保持をサポートするが、端末がＩＰアドレス連続性の保持要求をサポートしないという条件、
端末タイプが音声中心であるという条件、
第１のネットワーク及び／又は第２のネットワークがインターワーキングフローをサポートしないという条件、
第１のネットワーク及び／又は第２のネットワークがＮ２６インタフェースを備えるインターワーキングフローをサポートしないと共に、Ｎ２６インタフェースを備えないインターワーキングフローをサポートしないという条件、
第１のネットワーク及び／又は第２のネットワークがＮ２６インタフェースを備えないインターワーキングフローをサポートしないという条件、
第１のネットワーク及び／又は第２のネットワークがＮ２６インタフェースを備えないインターワーキングフローをサポートするが、端末がハンドオーバ指示をサポートしないという条件、
第１のネットワーク及び／又は第２のネットワークがＮ２６インタフェースを備えないインターワーキングフローをサポートし、端末タイプが音声中心であるが、端末がハンドオーバ指示をサポートしないという条件、
第１のネットワーク及び／又は第２のネットワークがＮ２６インタフェースを備えないインターワーキングフローをサポートし、端末がシングル登録モードをサポートするが、端末がハンドオーバ指示をサポートしないという条件、
及び第１のネットワーク及び／又は第２のネットワークがＮ２６インタフェースを備えないインターワーキングフローをサポートし、端末タイプが音声中心であり、端末がシングル登録モードをサポートするが、ハンドオーバ指示をサポートしないという条件のうちの少なくとも１つを満たすと、前記第２の動作を実行すると特定する、請求項３に記載のサービス処理方法。
【請求項６】
ターゲットサービスの関連処理を行うために、サービス処理の関連情報を送信することを含み、
前記サービス処理の関連情報は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む、情報送信方法。
【請求項７】
前記の端末がハンドオーバ指示をサポートするか否かの関連情報は、前記端末がハンドオーバ指示をサポートすることを含み
前記端末が、ハンドオーバアタッチ開始、ハンドオーバ指示の位置更新開始、及びＰＤＵ接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする、請求項６に記載の情報送信方法。
【請求項８】
前記ハンドオーバは、前記端末が第１のネットワークから第２のネットワークに移動するときに、端末のＩＰアドレス連続性の保持要求を指示することである、請求項６又は７に記載の情報送信方法。
【請求項９】
前記の第１のネットワーク及び／又は第２のネットワークが端末のハンドオーバ指示に基づく端末のＩＰ連続性の保持をサポートするか否かは、第１のネットワーク及び／又は第２のネットワークがハンドオーバアタッチをサポートするか否かを含む、請求項６に記載の情報送信方法。
【請求項１０】
ターゲットサービスは、ＩＭＳ音声サービスを含み、
サービスサポート指示は、ＰＳドメインによりセッションを行う方式によるＩＭＳ音声サービスサポート指示、及び３ＧＰＰによりＰＳドメインにアクセスしてセッションを行う方式によるＩＭＳ音声サービスサポート指示のうちの１つである、請求項６に記載の情報送信方法。
【請求項１１】
端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含むサービス処理の関連情報を取得するための取得モジュールと、
取得された前記サービス処理の関連情報に少なくとも基づいて、サービスサポート指示の関連処理であるターゲットサービスの関連処理を行うための処理モジュールと、を含む、通信機器。
【請求項１２】
前記の端末がハンドオーバ指示をサポートするか否かの関連情報は、前記端末がハンドオーバ指示をサポートすることを含み
前記端末が、ハンドオーバアタッチ開始、ハンドオーバ指示の位置更新開始、及びＰＤＵ接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする、請求項１１に記載の通信機器。
【請求項１３】
サービス処理の関連情報を送信する送信モジュールを含み、
前記サービス処理の関連情報は、端末が端末のＩＰアドレス連続性の保持要求をサポートするか否かの関連情報、第１のネットワーク及び／又は第２のネットワークが端末のＩＰアドレス連続性の保持をサポートするか否かの関連情報、第１のネットワーク及び／又は第２のネットワークがＮ２６インタフェースを備えるインターワーキングフローをサポートするか否かの関連情報、第１のネットワーク及び／又は第２のネットワークがＮ２６インタフェースを備えないインターワーキングフローをサポートするか否かの関連情報、端末がハンドオーバ指示をサポートするか否かの関連情報、第１のネットワーク及び／又は第２のネットワークが端末のハンドオーバ指示に基づく端末のＩＰアドレス連続性の保持をサポートするか否かの関連情報、端末タイプの関連情報、端末の登録モードの関連情報、端末が第２のネットワークへのリダイレクトをサポートするか否かの関連情報、第１のネットワーク及び／又は第２のネットワークがターゲットサービスをサポートするか否かの関連情報、第１のネットワークが端末の第２のネットワークへのリダイレクトをサポートするか否かの関連情報、及び第１のネットワークが端末を第２のネットワークにリダイレクトする方式で前記ターゲットサービスをサポートするか否かの関連情報のうちの少なくとも１項を含む、通信機器。
【請求項１４】
前記の端末がハンドオーバ指示をサポートするか否かの関連情報は、前記端末がハンドオーバ指示をサポートすることを含み
前記端末が、ハンドオーバアタッチ開始、ハンドオーバ指示の位置更新開始、及びＰＤＵ接続要求中に要求タイプがハンドオーバである指示のうちの少なくとも１つをサポートすると、前記端末はハンドオーバ指示をサポートし、或いは、
前記端末が、
前記端末が第１のネットワークから第２のネットワークに移動すると、端末のＩＰアドレス連続性の保持要求をサポートする能力、及び
前記端末が５ＧネットワークからＥＰＳネットワークに移動すると、アタッチ要求プロセス又は位置更新要求プロセスにおけるＰＤＵ接続確立要求中に要求タイプがハンドオーバである指示をサポートする能力のうちの１つを備えると、前記端末は、ハンドオーバ指示をサポートする、請求項１３に記載の通信機器。
【請求項１５】
前記の第１のネットワーク及び／又は第２のネットワークが端末のハンドオーバ指示に基づく端末のＩＰ連続性の保持をサポートするか否かは、第１のネットワーク及び／又は第２のネットワークがハンドオーバアタッチをサポートするか否かを含む、請求項１３に記載の通信機器。
【国際調査報告】
2021519006.tif 000019
2021519006.tif 000020